(57)【要約】  本発明の中央処理装置および該方法は、看介護の種類に対応して作成され、看介護の内容を看介護記録として入力するための記録書式を記憶し、前記端末装置から、看介護記録における看介護の種類を通知するための種類通知通信信号を受信した場合に、これに収容された看介護の種類に対応する記録書式を、前記端末装置で被監視者を変更しながら複数の被監視者それぞれについて看介護の内容を入力できるように、収容する書式通知通信信号を、返信する。そして、本発明の被監視者監視システムは、この中央処理装置を含む。
2018003463.tif 000002
【特許請求の範囲】
【請求項１】
監視対象である被監視者に対応して設けられ、前記被監視者に関わる所定のイベントを検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備え、前記被監視者を監視するための被監視者監視システムの前記中央処理装置であって、
看護および介護のうちの少なくとも一方を含む看介護の種類に対応して作成され、前記看介護の内容を看介護記録として入力するための記録書式を記憶する書式情報記憶部と、
前記端末装置から、複数の被監視者それぞれに対して入力する看介護記録における看介護の種類を通知するための種類通知通信信号を受信した場合に、前記書式情報記憶部から、前記種類通知通信信号に収容された看介護の種類に対応する記録書式を取り出し、前記端末装置で前記被監視者を変更しながら前記複数の被監視者それぞれについて看介護の内容を入力できるように、前記取り出した記録書式を収容する書式通知通信信号を、前記種類通知通信信号を送信した送信元の前記端末装置へ返信する看介護記録処理部とを備える、
中央処理装置。
【請求項２】
前記記録書式は、被監視者名を表示する対象者名表示領域と、前記看介護の内容を前記看介護記録として入力するための看介護記録入力領域とを備える記録書式画面のデータであり、
前記対象者名表示領域は、さらに、その表示された被監視者名と前記看介護記録入力領域とを互いに対応付けるための対象者対応付け領域であり、
前記看介護記録処理部は、前記端末装置で前記看介護記録入力領域を固定で表示しつつ前記複数の被監視者それぞれに対応する複数の対象者名表示領域を変更可能に表示できるように、前記取り出した記録書式を前記書式通知通信信号に収容する、
請求項１に記載の中央処理装置。
【請求項３】
前記看介護記録処理部は、前記複数の被監視者全ての各看介護記録を受信した場合に、選択可能な記録書式の種類を表示して記録書式の種類を選択するための書式選択画面のデータを収容する選択可能種類通知通信信号を、前記種類通知通信信号を送信した送信元の前記端末装置へ送信する、
請求項１または請求項２に記載の中央処理装置。
【請求項４】
監視対象である被監視者に対応して設けられ、前記被監視者に関わる所定のイベントを検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備え、前記被監視者を監視するための被監視者監視システムの中央処理方法であって、
前記端末装置から、複数の被監視者それぞれに対して入力する看介護記録における看介護の種類を通知するための種類通知通信信号を受信した場合に、前記看介護の種類に対応して作成され前記看介護の内容を看介護記録として入力するための記録書式を記憶する書式情報記憶部から、前記種類通知通信信号に収容された看介護の種類に対応する記録書式を取り出す取出工程と、
前記端末装置で前記被監視者を変更しながら前記複数の被監視者それぞれについて看介護の内容を入力できるように、前記取出工程で取り出した記録書式を収容する書式通知通信信号を、前記種類通知通信信号を送信した送信元の前記端末装置へ返信する返信工程とを備える、
中央処理方法。
【請求項５】
監視対象である被監視者に対応して設けられ、前記被監視者に関わる所定のイベントを検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備え、前記被監視者を監視するための被監視者監視システムであって、
前記中央処理装置は、請求項１ないし請求項３のいずれか１項に記載の中央処理装置である、
被監視者監視システム。
【請求項６】
前記端末装置は、入力を受け付ける入力部と、表示を行う表示部と、制御を行う制御部とを備え、
前記入力部は、前記表示部に表示している対象者名表示領域に表示された被監視者名と、前記表示部に表示している看介護記録入力領域に入力された看介護の内容とを、互いに対応付けて前記中央処理装置へ送信する指示を受け付け、
前記制御部は、前記入力部で前記指示を受け付けた場合に、前記表示部に表示している対象者名表示領域に表示された被監視者名と、前記表示部に表示している看介護記録入力領域に入力された看介護の内容とを収容する看介護記録通知通信信号を前記中央処理装置へ送信し、前記複数の被監視者から前記看介護記録通知通信信号に収容された被監視者名の被監視者を除いた残余の被監視者の中のいずれか１人の被監視者名を表示する前記対象者名表示領域と前記看介護記録入力領域とを備える記録書式画面を前記表示部に新たに表示し、前記残余の被監視者を新たに前記複数の被監視者とする、
請求項５に記載の被監視者監視システム。
【発明の詳細な説明】
【技術分野】
【０００１】
本発明は、監視すべき監視対象である被監視者を複数の機器を用いて監視する被監視者監視システムの中央処理装置および中央処理方法、ならびに、前記被監視者監視システムに関する。
【背景技術】
【０００２】
我が国（日本）は、戦後の高度経済成長に伴う生活水準の向上、衛生環境の改善および医療水準の向上等によって、高齢化社会、より詳しくは、総人口に対する６５歳以上の人口の割合である高齢化率が２１％を超える超高齢化社会になっている。２０１３年９月の統計では、高齢者人口は、約３１８６万人であり、その高齢化率は、２５．０％であり、４人に１人が高齢者になっている。２０３５年には、高齢者人口が約３７４１万人となり、３人に１人が高齢者になるという予測もある（日本国総務省統計局）。このような高齢化社会では、病気や怪我や高齢等による看護や介護を必要とする要看護者や要介護者（要看介護者）は、高齢化社会ではない通常の社会で生じる要看介護者よりもその増加が見込まれる。そして、我が国は、例えば２０１３年の合計特殊出生率が１．４３という少子化社会でもある。そのため、高齢な要看介護者を高齢の家族（配偶者、子、兄弟）が介護する老老介護も起きて来ている。【０００３】
要看介護者は、病院や、老人福祉施設（日本の法令では老人短期入所施設、養護老人ホームおよび特別養護老人ホーム等）等の施設に入所し、その看護や介護を受ける。このような施設では、要看介護者が、例えばベッドからの転落や歩行中の転倒等によって怪我を負ったり、ベッドから抜け出して徘徊したりするなどの事態が生じ得る。このような事態に対し、可及的速やかに対応する必要がある。また、このような事態を放置しておくとさらに重大な事態に発展してしまう可能性もある。このため、前記施設では、看護師や介護士（看介護者）は、定期的に巡視することによってその安否や様子を確認している。そして、これらの結果を、看護師や介護士等は、看護記録や介護記録（看介護記録）として記録する。【０００４】
しかしながら、要看介護者の増加数に対し看介護者の増加数が追い付かずに、看護業界や介護業界では、慢性的に人手不足になっている。さらに、日勤の時間帯に較べ、準夜勤や夜勤の時間帯では、看介護者の人数が減るため、一人当たりの業務負荷が増大するので、前記業務負荷の軽減が要請される。また、前記老老介護の事態は、前記施設でも例外ではなく、高齢の要看介護者を高齢の看介護者がケアすることもしばしば見られる。一般に高齢になると体力が衰えるため、健康であっても若いケア者に比しケアの負担が重くなり、また、その動きや判断も遅くなる。【０００５】
このような人手不足や看介護者の負担を軽減するため、看護業務や介護業務を補完する技術が求められている。このため、近年では、要看介護者の、監視すべき監視対象である被監視者を監視（モニタ）する被監視者監視技術が研究、開発されている。【０００６】
このような技術の一つとして、例えば特許文献１にナースコールシステムが提案されている。この特許文献１に開示されたナースコールシステムでは、被看護人は、被看護人識別ＩＤを記憶した無線タグを備えるリストバンドを装着しており、電子カルテに記録を行う場合、医療・看護従事者は、まず、その携帯する携帯情報端末を前記被看護人の前記リストバンドに近づけることによって前記リストバンドから被看護人識別ＩＤを読み出し、次に、前記携帯情報端末に表示された処置内容の候補のリストから処置内容を選択する。これによって医療・看護従事者識別ＩＤ、処置内容および被看護人識別ＩＤが、前記携帯情報端末から制御機へ送信され、制御機の制御機記憶部に内蔵されている電子カルテに、前記医療・看護従事者識別ＩＤの医療・看護従事者が前記被看護人識別ＩＤを有する被看護人に前記処置内容に記された処置を行なったことが、データ受信時刻とともに記録される（例えば特許文献１の［０１５７］段落ないし［０１６６］段落参照）。【０００７】
ところで、前記特許文献１に開示されたナースコールシステムでは、看介護記録に必要な看護や介護の対象者を特定するために、医療・看護従事者が、携帯情報端末を被看護人のリストバンドに近づけることによって前記リストバンドから被看護人識別ＩＤを読み出し、その後、携帯情報端末に表示された処置内容の候補のリストから処置内容を選択する。このため、同じ処置内容を対象者を変えて看介護記録を実行する場合でも、医療・看護従事者は、これら被看護人識別ＩＤの読み出しおよび処置内容の選択を再度実行する必要があり、手間や時間を要してしまう。
【先行技術文献】
【特許文献】
【０００８】
【特許文献１】特開２０１４−８７５２４号公報
【発明の概要】
【０００９】
本発明は、上述の事情に鑑みて為された発明であり、その目的は、看介護記録の手間や時間をより低減できる被監視者監視システムの中央処理装置および中央処理方法、ならびに、前記被監視者監視システムを提供することである。
【００１０】
本発明の中央処理装置および該方法は、看介護の種類に対応して作成され、看介護の内容を看介護記録として入力するための記録書式を記憶し、前記端末装置から、看介護記録における看介護の種類を通知するための種類通知通信信号を受信した場合に、これに収容された看介護の種類に対応する記録書式を、前記端末装置で被監視者を変更しながら複数の被監視者それぞれについて看介護の内容を入力できるように、収容する書式通知通信信号を、返信する。そして、本発明の被監視者監視システムは、この中央処理装置を含む。
【００１１】
上記並びにその他の本発明の目的、特徴及び利点は、以下の詳細な記載と添付図面から明らかになるであろう。
【図面の簡単な説明】
【００１２】
【図１】実施形態における被監視者監視システムの構成を示す図である。
【図２】前記被監視者監視システムにおける管理サーバ装置の構成を示す図である。
【図３】前記管理サーバ装置に記憶される監視情報テーブルの構成を示す図である。
【図４】前記管理サーバ装置に記憶される装置間情報テーブルの構成を示す図である。
【図５】前記管理サーバ装置に記憶されるセンサ情報テーブルの構成を示す図である。
【図６】前記被監視者監視システムにおける携帯端末装置の外観を示す正面図である。
【図７】前記被監視者監視システムにおける携帯端末装置の構成を示す図である。
【図８】前記携帯端末装置に表示される待受け画面の一例を示す図である。
【図９】前記携帯端末装置に表示される監視情報画面の一例を示す図である。
【図１０】前記携帯端末装置に表示されるナースコール受付画面の一例を示す図である。
【図１１】前記被監視者監視システムにおける第１モードでの看介護記録の動作を示すシーケンス図である。
【図１２】前記被監視者監視システムにおける第２モードでの看介護記録の動作を示すシーケンス図である。
【図１３】前記携帯端末装置に表示される対象者選択画面の一例を示す図である。
【図１４】前記携帯端末装置に表示されるサブメニュー画面の一例を示す図である。
【図１５】前記携帯端末装置に表示される第１書式選択画面の一例を示す図である。
【図１６】前記携帯端末装置に表示される食事ケア用記録書式画面の一例を示す図である。
【図１７】前記携帯端末装置に表示されるモーニングケア用記録書式画面（イブニングケア用記録書式画面）の一例を示す図である。
【図１８】前記携帯端末装置に表示される排泄ケア用記録書式画面の一例を示す図である。
【図１９】前記携帯端末装置に表示された対象者選択画面において、複数の被監視者を選択した後の対象者選択画面を示す図である。
【図２０】前記携帯端末装置に表示される第２書式選択画面の一例を示す図である。
【図２１】前記第２モードでの看介護記録の入力手順を説明するための図である。
【発明を実施するための形態】
【００１３】
以下、本発明にかかる実施の一形態を図面に基づいて説明する。なお、各図において同一の符号を付した構成は、同一の構成であることを示し、適宜、その説明を省略する。本明細書において、総称する場合には添え字を省略した参照符号で示し、個別の構成を指す場合には添え字を付した参照符号で示す。
【００１４】
実施形態における被監視者監視システムは、監視すべき（見守るべき）監視対象（見守り対象）である被監視者（見守り対象者）Ｏｂを監視するものであり、被監視者Ｏｂに対応して設けられ、被監視者Ｏｂに関わる、予め設定された所定のイベント（事象）を検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備える。前記中央処理装置は、看護および介護のうちの少なくとも一方を含む看介護の種類に対応して作成され、前記看介護の内容を看介護記録として入力するための記録書式を記憶する書式情報記憶部と、前記端末装置から、複数の被監視者それぞれに対して入力する看介護記録における看介護の種類を通知するための種類通知通信信号を受信した場合に、前記書式情報記憶部から、前記種類通知通信信号に収容された看介護の種類に対応する記録書式を取り出し、前記端末装置で前記被監視者を変更しながら前記複数の被監視者それぞれについて看介護の内容を入力できるように、前記取り出した記録書式を収容する書式通知通信信号を、前記種類通知通信信号を送信した送信元の前記端末装置へ返信する看介護記録処理部とを備える。前記端末装置は、１種類の装置であって良いが、本実施形態態では、前記端末装置は、固定端末装置と携帯端末装置との２種類の装置である。これら固定端末装置と携帯端末装置との主な相違は、固定端末装置が固定的に運用される一方、携帯端末装置が例えば看護師や介護士等の監視者（ユーザ）に携行されて運用される点であり、これら固定端末装置と携帯端末装置とは、略同様である。このような被監視者監視システムについて、以下、より具体的に説明する。
【００１５】
まず、本実施形態における被監視者監視システムの構成について説明する。
【００１６】
（構成）
図１は、実施形態における被監視者監視システムの構成を示す図である。図２は、実施形態の被監視者監視システムにおける管理サーバ装置の構成を示す図である。図３は、前記管理サーバ装置に記憶される監視情報テーブルの構成を示す図である。図４は、前記管理サーバ装置に記憶される装置間情報テーブルの構成を示す図である。図５は、前記管理サーバ装置に記憶されるセンサ情報テーブルの構成を示す図である。図６は、実施形態の被監視者監視システムにおける携帯端末装置の外観を示す正面図である。図７は、実施形態の被監視者監視システムにおける携帯端末装置の構成を示す図である。
【００１７】
より具体的には、被監視者監視システムＭＳは、例えば、図１に示すように、１または複数のセンサ装置ＳＵ（ＳＵ−１〜ＳＵ−４）と、管理サーバ装置ＳＶと、固定端末装置ＳＰと、１または複数の携帯端末装置ＴＡ（ＴＡ−１、ＴＡ−２）と、構内交換機（ＰＢＸ、Ｐｒｉｖａｔｅ  ｂｒａｎｃｈ  ｅｘｃｈａｎｇｅ）ＣＸとを備え、これらは、有線や無線で、ＬＡＮ（Ｌｏｃａｌ  Ａｒｅａ  Ｎｅｔｗｏｒｋ）等の網（ネットワーク、通信回線）ＮＷを介して通信可能に接続される。ネットワークＮＷは、通信信号を中継する例えばリピーター、ブリッジおよびルーター等の中継機が備えられても良い。図１に示す例では、これら複数のセンサ装置ＳＵ−１〜ＳＵ−４、管理サーバ装置ＳＶ、固定端末装置ＳＰ、複数の携帯端末装置ＴＡ−１、ＴＡ−２および構内交換機ＣＸは、Ｌ２スイッチの集線装置（ハブ、ＨＵＢ）ＬＳおよびアクセスポイントＡＰを含む有線および無線の混在したＬＡＮ（例えばＩＥＥＥ８０２．１１規格に従ったＬＡＮ等）ＮＷによって互いに通信可能に接続されている。より詳しくは、複数のセンサ装置ＳＵ−１〜ＳＵ−４、管理サーバ装置ＳＶ、固定端末装置ＳＰおよび構内交換機ＣＸは、集線装置ＬＳに接続され、複数の携帯端末装置ＴＡ−１、ＴＡ−２は、アクセスポイントＡＰを介して集線装置ＬＳに接続されている。ネットワークＮＷは、ＴＣＰ（Ｔｒａｎｓｍｉｓｓｉｏｎ  ｃｏｎｔｒｏｌ  ｐｒｏｔｏｃｏｌ）およびＩＰ（Ｉｎｔｅｒｎｅｔ  ｐｒｏｔｏｃｏｌ）等のインターネットプロトコル群が用いられることによっていわゆるイントラネットを構成する。
【００１８】
構内交換機（回線切換機）ＣＸは、ネットワークＮＷに接続され、携帯端末装置ＴＡ同士における発信、着信および通話等の内線電話の制御を行って前記携帯端末装置ＴＡ同士の内線電話を実施し、そして、例えば固定電話網や携帯電話網等の公衆電話網ＰＮを介して例えば固定電話機や携帯電話機等の外線電話機ＴＬに接続され、外線電話機ＴＬと携帯端末装置ＴＡとの間における発信、着信および通話等の外線電話の制御を行って外線電話機ＴＬと携帯端末装置ＴＡとの間における外線電話を実施するものである。構内交換機ＣＸは、例えば、デジタル交換機や、ＩＰ−ＰＢＸ（Ｉｎｔｅｒｎｅｔ  Ｐｒｏｔｏｃｏｌ  Ｐｒｉｖａｔｅ  Ｂｒａｎｃｈ  ｅＸｃｈａｎｇｅ）等である。
【００１９】
被監視者監視システムＭＳは、被監視者Ｏｂに応じて適宜な場所に配設される。被監視者（見守り対象者）Ｏｂは、例えば、病気や怪我等によって看護を必要とする者や、身体能力の低下等によって介護を必要とする者や、一人暮らしの独居者等である。特に、早期発見と早期対処とを可能にする観点から、被監視者Ｏｂは、例えば異常状態等の所定の不都合な事象がその者に生じた場合にその発見を必要としている者であることが好ましい。このため、被監視者監視システムＭＳは、被監視者Ｏｂの種類に応じて、病院、老人福祉施設および住戸等の建物に好適に配設される。図１に示す例では、被監視者監視システムＭＳは、複数の被監視者Ｏｂが入居する複数の居室ＲＭや、ナースステーション等の複数の部屋を備える介護施設の建物に配設されている。
【００２０】
センサ装置ＳＵは、ネットワークＮＷを介して他の装置ＳＶ、ＳＰ、ＴＡと通信する通信機能等を備え、被監視者Ｏｂに関わる所定のイベント（事象）を検知して管理サーバ装置ＳＶへ通知する装置である。前記所定のイベントは、好適には対処が必要な所定のイベントであり、例えば、本実施形態では、被監視者Ｏｂにおける予め設定された所定の行動およびナースコール（ＮＣ）である。より具体的には、センサ装置ＳＵは、例えば、ネットワークＮＷを介して他の装置ＳＶ、ＳＰ、ＴＡと通信するための通信インターフェース回路（例えばＬＡＮカード等）、被監視者Ｏｂを上方（好ましくは直上（例えば天井））から撮像して画像を生成する画像センサ（例えば可視カメラや近赤外カメラ等）、前記画像センサの出力（画像）に基づいて被監視者Ｏｂにおける予め設定された所定の行動を前記所定のイベントの一例として検知して管理サーバ装置ＳＶへ通知する行動検知処理回路、ナースコールを前記所定のイベントの他の一例として受け付けて管理サーバ装置ＳＶへ通知するナースコール処理回路、端末装置ＳＰ、ＴＡ等との間で音声通話を行う通話処理回路、前記画像センサの出力（画像（静止画および動画を含む））を所定の他の装置ＳＶ、ＳＰ、ＴＡへ送信する画像送信処理回路、これらを制御する制御回路、および、例えば記憶素子等の、その周辺回路を備えて構成される。
【００２１】
前記所定の行動は、例えば、被監視者Ｏｂが寝具に入った入床、被監視者Ｏｂが起きた起床、被監視者Ｏｂが寝具から離れた離床、および、被監視者Ｏｂが倒れた転倒の４つの行動である。なお、前記転倒には、被監視者Ｏｂが寝具から落ちた転落が含まれて良く、あるいは、前記転倒とは別途に、前記所定の行動には、前記転落が含まれて良い。前記行動検知処理回路は、例えば、前記画像センサで撮像した画像（対象画像）に基づいて被監視者Ｏｂの頭部を検出し、この検出した被監視者Ｏｂの頭部における大きさの時間変化に基づいて被監視者Ｏｂの起床および転倒を検知し、前記画像センサで撮像した対象画像に基づいて被監視者Ｏｂを検出し、この検出した被監視者Ｏｂと寝具との重なり具合（重なり領域の大きさ）に基づいて被監視者Ｏｂの離床および入床を検知する。より詳しくは、まず、寝具ＢＤの所在領域、第１閾値Ｔｈ１および第２閾値Ｔｈ２が記憶される。前記第１閾値Ｔｈ１は、寝具ＢＤの所在領域内における横臥姿勢の頭部の大きさと座位姿勢の頭部の大きさとを識別するための値である。前記第２閾値Ｔｈ１は、寝具ＢＤの所在領域を除く居室ＲＭ内における横臥姿勢の頭部の大きさであるか否かを識別するための値である。前記行動検知処理回路は、対象画像から例えば背景差分法やフレーム差分法によって被監視者Ｏｂの人物の領域として動体領域を抽出する。次に、前記行動検知処理回路は、この抽出した動体領域から、例えば円形や楕円形のハフ変換によって、また例えば予め用意された頭部のモデルを用いたパターンマッチングによって、また例えば頭部検出用に学習したニューラルネットワークによって、被監視者Ｏｂの頭部領域を抽出する。そして、前記行動検知処理回路は、この抽出した頭部の位置および大きさから起床および転倒を検知する。例えば、前記行動検知処理回路は、この抽出した頭部の位置が寝具ＢＤの所在領域内であって、前記抽出した頭部の大きさが前記第１閾値Ｔｈ１を用いることによって横臥姿勢の大きさから座位姿勢の大きさへ時間変化した場合には、起床と判定し、前記起床を検知する。例えば、前記行動検知処理回路は、この抽出した頭部の位置が寝具ＢＤの所在領域を除く居室ＲＭ内であって、前記抽出した頭部の大きさが前記第２閾値Ｔｈ２を用いることによって或る大きさから横臥姿勢の大きさへ時間変化した場合には、転倒と判定し、前記転倒を検知する。そして、前記行動検知処理回路は、対象画像から上述のように抽出した動体領域と寝具ＢＤの所在領域とが重なった重なり領域を検出し、この重なり領域の時間変化から離床および入床を検知する。例えば、前記行動検知処理回路は、この検出した重なり領域が存在する状態から、前記重なり領域が存在しなくなった状態へ時間変化した場合には、離床と判定し、前記離床を検知する。例えば、前記行動検知処理回路は、この検出した重なり領域が存在しない状態から、前記重なり領域の存在の検出を介して、前記重なり領域全体が寝具ＢＤの所在領域内で重なった状態（すなわち、前記動体領域が前記寝具ＢＤの所在領域内に完全に包含された状態）へ時間変化した場合には、入床と判定し、前記入床を検知する。
【００２２】
前記所定のイベントは、第１イベント通知通信信号によってセンサ装置ＳＵから管理サーバ装置ＳＶへ通知される。この第１イベント通知通信信号には、自機のセンサＩＤおよび前記イベントの内容を表すイベント情報が収容される。前記センサＩＤ（センサ識別子）は、センサ装置ＳＵを特定し識別するための識別子である。前記イベント情報は、本実施形態では、入床、起床、離床、転倒およびナースコールのうちの１または複数である。第１イベント通知通信信号には、前記画像センサで撮像した画像が収容されても良い。特に、前記イベント情報が入床、起床、離床および転倒のうちのいずれかである場合には、前記所定の行動の検知に用いられた画像（前記検知が複数の画像によって実施された場合には例えば最後の画像）が収容されることが好ましい。前記画像は、静止画および動画のうちの少なくとも一方であって良く、本実施形態では、後述するように、まず、静止画が通知され、ユーザの要求に応じて動画が配信される。なお、まず、動画が配信されても良く、また、静止画および動画が送信され、画面分割で静止画および動画が端末装置ＳＰ、ＴＡに表示されても良い。
【００２３】
図１には、一例として、４個の第１ないし第４センサ装置ＳＵ−１〜ＳＵ−４が示されており、第１センサ装置ＳＵ−１は、被監視者Ｏｂの一人であるＡさんＯｂ−１の居室ＲＭ−１（不図示）に配設され、第２センサ装置ＳＵ−２は、被監視者Ｏｂの一人であるＢさんＯｂ−２の居室ＲＭ−２（不図示）に配設され、第３センサ装置ＳＵ−３は、被監視者Ｏｂの一人であるＣさんＯｂ−３の居室ＲＭ−３（不図示）に配設され、そして、第４センサ装置ＳＵ−４は、被監視者Ｏｂの一人であるＤさんＯｂ−４の居室ＲＭ−４（不図示）に配設されている。
【００２４】
管理サーバ装置ＳＶは、ネットワークＮＷを介して他の装置ＳＵ、ＴＡ、ＳＰと通信する通信機能を備え、センサ装置ＳＵから前記所定のイベントの通知を受けると、被監視者Ｏｂに対する監視に関する情報（監視情報（本実施形態では例えば前記所定のイベント（センサ装置ＳＵで検知した所定の行動の種類やセンサ装置ＳＵで受け付けたナースコール）、被監視者Ｏｂの画像（静止画および動画）、および、前記通知を受けた時刻等））を管理し、前記所定のイベントを所定の端末装置ＳＰ、ＴＡへ通知（再通知、再報知、送信）し、クライアント（本実施形態では端末装置ＳＰ、ＴＡ等）の要求に応じたデータを前記クライアントに提供し、被監視者監視システムＭＳ全体を管理する装置（中央処理装置の一例）である。本実施形態では、管理サーバ装置ＳＶは、看護および介護のうちの少なくとも一方を含む看介護の内容の記録である看介護記録に関する所定の情報処理を実行する。このような管理サーバ装置ＳＶは、例えば、図２に示すように、サーバ側通信インターフェース部（ＳＶ通信ＩＦ部）２１と、サーバ側制御処理部（ＳＶ制御処理部）２２と、サーバ側記憶部（ＳＶ記憶部）２３とを備える。
【００２５】
ＳＶ通信ＩＦ部２１は、ＳＶ制御処理部２２に接続され、ＳＶ制御処理部２２の制御に従って通信を行うための通信回路である。ＳＶ通信ＩＦ部２１は、ＳＶ制御処理部２２から入力された転送すべきデータを収容した通信信号を、この被監視者監視システムＭＳのネットワークＮＷで用いられる通信プロトコルに従って生成し、この生成した通信信号をネットワークＮＷを介して他の装置ＳＶ、ＳＰ、ＴＡへ送信する。ＳＶ通信ＩＦ部２１は、ネットワークＮＷを介して他の装置ＳＶ、ＳＰ、ＴＡから通信信号を受信し、この受信した通信信号からデータを取り出し、この取り出したデータをＳＶ制御処理部２２が処理可能な形式のデータに変換してＳＶ制御処理部２２へ出力する。ＳＶ通信ＩＦ部２１は、例えば、ＩＥＥＥ８０２．１１規格等に従った通信インターフェース回路を備えて構成される。
【００２６】
ＳＶ記憶部２３は、ＳＶ制御処理部２２に接続され、ＳＶ制御処理部２２の制御に従って、各種の所定のプログラムおよび各種の所定のデータを記憶する回路である。前記各種の所定のプログラムには、例えば、管理サーバ装置ＳＶの各部を当該各部の機能に応じてそれぞれ制御するＳＶ制御プログラムや、被監視者Ｏｂに対する監視に関する所定の情報処理を実行するＳＶ監視処理プログラムや、看護および介護のうちの少なくとも一方を含む看介護の内容の記録である看介護記録に関する所定の情報処理を実行するＳＶ看介護記録処理プログラム等の制御処理プログラムが含まれる。前記各種の所定のデータには、自機の、管理サーバ装置ＳＶを特定し管理サーバ装置ＳＶを識別するための識別子であるサーバ識別子（サーバＩＤ）や、被監視者Ｏｂの前記監視情報や、前記所定のイベントの通知先等の装置ＳＵ、ＳＰ、ＴＡ間の情報を表す装置間情報や、センサ装置ＳＵに関するセンサ情報や、前記記録書式に関する書式情報や、看介護記録に関する看介護記録情報等の各プログラムを実行する上で必要なデータ等が含まれる。ＳＶ記憶部２３は、例えば不揮発性の記憶素子であるＲＯＭ（Ｒｅａｄ  Ｏｎｌｙ  Ｍｅｍｏｒｙ）や書き換え可能な不揮発性の記憶素子であるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等を備える。ＳＶ記憶部２３は、前記所定のプログラムの実行中に生じるデータ等を記憶するいわゆるＳＶ制御処理部２２のワーキングメモリとなるＲＡＭ（Ｒａｎｄｏｍ  Ａｃｃｅｓｓ  Ｍｅｍｏｒｙ）等を含む。これら監視情報、装置間情報、センサ情報、書式情報および看介護記録情報それぞれを記憶するために、ＳＶ記憶部２３は、サーバ側監視情報記憶部（ＳＶ監視情報記憶部）２３１、装置間情報記憶部２３２、サーバ側センサ情報記憶部（ＳＶセンサ情報記憶部）２３３、書式情報記憶部２３４および看介護記録情報記憶部２３５を機能的に備える。
【００２７】
ＳＶ監視情報記憶部２３１は、各装置ＳＵ、ＳＰ、ＴＡそれぞれとの間で送受信した被監視者Ｏｂの監視情報を記憶するものである。より具体的には、ＳＶ監視情報記憶部２３１には、本実施形態では、前記監視情報として、第１イベント通知通信信号等の通信信号に収容された各情報に基づいて、センサＩＤ、イベント情報（事象情報、本実施形態では入床、起床、離床、転倒およびナースコール）、受信時刻、対象画像（静止画および動画）および対処の有無が互いに対応付けて記憶される。
【００２８】
この監視情報は、本実施形態では、テーブル形式でＳＶ監視情報記憶部２３１に記憶されている。この監視情報を登録するサーバ側監視情報テーブル（ＳＶ監視情報テーブル）ＭＴ−ＳＶは、例えば、図３に示すように、各装置ＳＵ、ＳＰ、ＴＡから受信した通信信号に収容されたセンサＩＤを登録するセンサＩＤフィールド２３１１と、前記受信した通信信号に収容されたイベント情報を登録するイベントフィールド（事象フィールド）２３１２と、前記受信した通信信号の受信時刻を登録する受信時刻フィールド２３１３と、前記受信した通信信号に収容された前記静止画を登録する静止画フィールド２３１４と、ライブ動画の取得先として、前記受信した通信信号に収容されたセンサＩＤに対応するセンサ装置ＳＵの通信アドレス（例えばＩＰアドレス等）を登録する動画フィールド２３１５と、前記受信した通信信号に収容されたイベント情報に対する対応の受付の有無を登録する対応フィールド２３１６とを備え、前記受信した通信信号ごと（各イベントごと）にレコードを備える。静止画フィールド２３１４には、例えば、静止画の画像データが登録されて良く、また例えば、静止画の画像データのファイル名が登録されて良い。対応フィールド２３１６には、後述するように、前記受信した通信信号に収容されたイベント情報に対する対処（対応、処置、措置）する意思がある旨（“対応する”）を端末装置ＳＰ、ＴＡで受け付けたか否かを表すフラグ（対応フラグ）が登録される。例えば、本実施形態では、対応フィールド２３１６には、前記受信した通信信号に収容されたイベント情報（イベントフィールド２３１２に登録されたイベント情報）に対処する意思がある旨（“対応する”）を端末装置ＳＰ、ＴＡで受け付けたことを意味する対応フラグ「１」、あるいは、前記受信した通信信号に収容されたイベント情報に対処する意思がある旨（“対応する”）を端末装置ＳＰ、ＴＡで受け付けていないことを意味する対応フラグ「０」が登録される。なお、デフォルトでは、対応フィールド２３１６には、未受付を意味する対応フラグ「０」が登録される。なお、第１イベント通知通信信号に、前記所定の行動を検知した検知時刻または前記ナースコールを受け付けたナースコール受付時刻が収容されている場合には、受信時刻に代え、前記検知時刻または前記ナースコール受付時刻が登録されても良い。
【００２９】
装置間情報記憶部２３２は、前記装置間情報として、本実施形態では、通知先対応関係および通信アドレス対応関係等を記憶するものである。前記通知先対応関係は、センサ装置ＳＵから送信された第１イベント通知通信信号等の通知先（再通知先、再報知先、送信先）を示す、送信元であるセンサＩＤと通知先（再通知先）である端末ＩＤとの対応関係である。前記通信アドレス対応関係は、各装置ＳＵ、ＳＰ、ＴＡのＩＤ（センサＩＤ、端末ＩＤ）とその通信アドレスとの対応関係である。前記端末ＩＤ（端末識別子）は、端末装置ＳＰ、ＴＡを特定し端末装置ＳＰ、ＴＡを識別するための識別子である。
【００３０】
これら通知先対応関係および通信アドレス対応関係は、それぞれ、本実施形態では、テーブル形式で装置間情報記憶部２３２に記憶されている。この通知先対応関係を登録する通知先対応関係情報テーブルＡＴは、例えば、図４Ａに示すように、送信元のセンサ装置ＳＵのセンサＩＤを登録する送信元フィールド２３２１と、送信元フィールド２３２１に登録されたセンサＩＤに対応するセンサ装置ＳＵから通知された通信信号を送信する送信先の端末装置ＳＰ、ＴＡの端末ＩＤを登録する通知先フィールド２３２２とを備え、センサＩＤ（センサ装置ＳＵ）ごとにレコードを備える。前記通信アドレス対応関係を登録する通信アドレス対応関係情報テーブルＤＴは、例えば、図４Ｂに示すように、端末装置ＳＰ、ＴＡの端末ＩＤを登録する端末ＩＤフィールド２３２３と、端末ＩＤフィールド２３２３に登録された端末ＩＤに対応する端末装置ＳＰ、ＴＡの通信アドレスを登録する通信アドレスフィールド２３２４とを備え、端末ＩＤ（端末装置ＳＰ、ＴＡ）ごとにレコードを備える。
【００３１】
なお、センサＩＤ、サーバＩＤおよび端末ＩＤそれぞれは、例えば所定の記号列から成るシリアル番号等であって良く、また例えば通信アドレスであって良い（この場合通信アドレス対応関係は省略できる）。また、通知先対応関係は、１個の端末装置ＳＰ、ＴＡに対して複数のセンサ装置ＳＵが対応付けられても良い（マルチキャストやブロードキャスト等の同報通信を含む）。
【００３２】
ＳＶセンサ情報記憶部２３３は、前記センサ情報を記憶するものである。本実施形態では、前記センサ情報は、センサ装置ＳＵに関する情報であり、センサ装置ＳＵのセンサＩＤと被監視者Ｏｂの被監視者名とを互いに対応付けた情報である。
【００３３】
このようなセンサ情報は、本実施形態では、テーブル形式でＳＶセンサ情報記憶部２３３に記憶される。より具体的には、センサ情報を登録するサーバ側センサ情報テーブル（ＳＶセンサ情報テーブル）ＳＴ−ＳＶは、例えば、図５に示すように、センサＩＤを登録するセンサＩＤフィールド２３３１と、前記センサＩＤフィールド２３３１に登録されているセンサＩＤを持つセンサ装置ＳＵの配設場所を登録する配設場所フィールド２３３２と、前記センサＩＤフィールド２３３１に登録されているセンサＩＤを持つセンサ装置ＳＵによって監視される被監視者Ｏｂ（すなわち、前記センサＩＤフィールド２３３１に登録されているセンサＩＤを持つセンサ装置ＳＵの配設場所に居る被監視者Ｏｂ）の被監視者名を登録する被監視者名フィールド２３３３と、前記センサＩＤフィールド２３３１に登録されているセンサＩＤを持つセンサ装置ＳＵ、その配設場所およびその被監視者Ｏｂに関する備考を登録する備考フィールド２３３４とを備え、センサＩＤ（すなわち、センサ装置ＳＵ）ごとにレコードを持つ。
【００３４】
書式情報記憶部２３４は、前記書式情報を記憶するものである。前記書式情報は、看護および介護のうちの少なくとも一方を含む看介護の内容を看介護記録として入力するための記録書式に関する情報であり、前記記録書式は、予め規定された所定の様式（フォーマット、入力フォーム）として、前記看介護の種類に応じて複数、予め用意されている。
【００３５】
前記看介護の種類は、看護の実務や介護の実務等に応じて種々ある。例えば、前記看介護の種類として、定期性を有するケア、および、場所に依存するケア等が挙げられる。より具体的には、定期性を有するケアとして、日々実施される、モーニングケア（着替え、洗面および義歯装着等）、食事ケア（朝食ケア、昼食ケア、夕食ケア）、間食ケア、投薬ケア（服薬ケア）、歯磨きケア、水分補給ケア、バイタルチェック、イブニングケア（着替え、歯磨き、義歯外し、ベッド移乗等）、巡回、および、体位交換等、ならびに、曜日ごとや日にちごとに実施される、入浴ケア、リハビリ、レクリエーション、往診、身体清拭および体重測定等が挙げられる。場所に依存するケアとして、排泄ケア等が挙げられる。これら看介護は、例えばリビング、居室ＲＭ、トイレ、浴場およびナースステーション等の場所に依存したり、また例えば、看護師や介護士等、あるいは、当該看介護の担当者等の監視者に依存したりする。記録書式は、このような看介護の内容に応じて予め用意されており、例えば、モーニングケア用の記録書式、食事ケア用の記録書式、間食ケア用の記録書式、投薬ケア用の記録書式（服薬ケア用の記録書式）、歯磨きケア用の記録書式、および、水分補給ケア用の記録書式等がある。その一例が後述の図１６ないし図１８に示されている。図１６には、食事ケア用の記録書式の一例が携帯端末装置ＴＡに表示される画面で示されている。図１７には、モーニングケア用の記録書式の一例が携帯端末装置ＴＡに表示される画面で示されている。図１８には、排泄ケア用の記録書式の一例が携帯端末装置ＴＡに表示される画面で示されている。本実施形態では、前記書式情報は、このような端末装置ＳＰ、ＴＡに表示される記録書式画面を形成する記録書式の電子ファイルであり、前記記録書式の電子ファイルは、予め規定された所定の様式（フォーマット、入力フォーム）に従った記録書式を所定の記録書式画面で端末装置ＳＰ、ＴＡに表示できるように、例えばＨＴＭＬ（Ｈｙｐｅｒ  Ｔｅｘｔ  Ｍａｒｋｕｐ  Ｌａｎｇｕａｇｅ）やＸＭＬ（Ｅｘｔｅｎｓｉｂｌｅ  Ｍａｒｋｕｐ  Ｌａｎｇｕａｇｅ）等のマークアップ言語で記述され、書式情報記憶部２３４に記憶される。
【００３６】
看介護記録情報記憶部２３５は、前記看介護記録情報を記憶するものである。看介護の対象者である被監視者名と、前記看介護記録の内容とが互いに対応付けられて前記看介護記録情報として看介護記録情報記憶部２３５に記憶される。
【００３７】
ＳＶ制御処理部２２は、管理サーバ装置ＳＶの各部を当該各部の機能に応じてそれぞれ制御し、センサ装置ＳＵから前記所定のイベントの通知を受けると、被監視者Ｏｂに対する監視に関する監視情報を管理し、前記所定のイベントを所定の端末装置ＳＰ、ＴＡへ通知し、クライアントの要求に応じたデータを前記クライアントに提供し、被監視者監視システムＭＳ全体を管理するための回路である。本実施形態では、ＳＶ制御処理部２２は、例えば所定の記録書式の送信や前記所定の記録書式を用いて記入された看介護記録の記憶等の、前記看介護記録に関する所定の情報処理を実行する。ＳＶ制御処理部２２は、例えば、ＣＰＵ（Ｃｅｎｔｒａｌ  Ｐｒｏｃｅｓｓｉｎｇ  Ｕｎｉｔ）およびその周辺回路を備えて構成される。ＳＶ制御処理部２２は、前記制御処理プログラムが実行されることによって、サーバ側制御部（ＳＶ制御部）２２１、サーバ側監視処理部（ＳＶ監視処理部）２２２およびサーバ側看介護記録処理部（ＳＶ看介護記録処理部）２２３を機能的に備える。
【００３８】
ＳＶ制御部２２１は、管理サーバ装置ＳＶの各部を当該各部の機能に応じてそれぞれ制御し、管理サーバ装置ＳＶの全体制御を司るものである。
【００３９】
ＳＶ監視処理部２２２は、被監視者Ｏｂに対する監視に関する所定の情報処理を実行するものである。より具体的には、ＳＶ監視処理部２２２は、センサ装置ＳＵから前記所定のイベントの通知を受信すると被監視者Ｏｂに対する監視に関する監視情報を管理し、前記所定のイベントを所定の端末装置ＳＰ、ＴＡへ通知する。より詳しくは、ＳＶ監視処理部２２２は、センサ装置ＳＵから前記第１イベント通知通信信号を受信すると、この受信した第１イベント通知通信信号に収容された、被監視者Ｏｂに対する監視に関する監視情報をＳＶ監視情報記憶部２３１に記憶（記録）する。ＳＶ監視処理部２２２は、この受信した第１イベント通知通信信号を送信したセンサ装置ＳＵに対応する通知先（再通知先、報知先、転送先、送信先）を装置間情報記憶部２３２に記憶された前記通知先対応関係から選定（検索）し、この選定した端末装置ＳＰ、ＴＡへ第２イベント通知通信信号を送信する。この選定（検索処理）は、前記受信した第１イベント通知通信信号を送信したセンサ装置ＳＵに対応するセンサＩＤに基づいて実施される。前記第２イベント通知通信信号には、前記第１イベント通知通信信号に収容されたイベント情報が前記所定の行動（入床、起床、離床および転倒のうちの１または複数）である場合には、第１イベント通知通信信号に収容されたセンサＩＤ、イベント情報および対象画像、ならびに、動画のダウンロード先として、第１イベント通知通信信号に収容されたセンサＩＤを持つセンサ装置ＳＵに対応する通信アドレスが収容される。この通信アドレスは、前記受信した第１イベント通知通信信号を送信したセンサ装置ＳＵに対応するセンサＩＤに基づいて通信アドレス対応関係から選定（検索）される。前記第１イベント通知通信信号に収容されたイベント情報が前記ナースコールである場合には、前記第２イベント通知通信信号には、第１イベント通知通信信号に収容されたセンサＩＤおよびイベント情報（ナースコール）が収容される。
【００４０】
ＳＶ看介護記録処理部２２３は、看護および介護のうちの少なくとも一方を含む看介護の内容の記録である看介護記録に関する所定の情報処理を実行するものである。本実施形態では、ＳＶ看介護記録処理部２２３は、２個の第１および第２モードで、所定の記録書式を用いた看介護記録の情報処理を実行する。
【００４１】
前記第１モードは、看介護記録の対象者を１人だけ特定し、この特定した１人の対象者のために、看介護の種類に対応した１種類の記録書式を選定し、この選定した１種類の記録書式を用いて前記特定した１人の対象者に対して実施した看介護の内容を入力することによって、看介護記録を実施するためのモードである。この第１モードでは、ＳＶ看介護記録処理部２２３は、端末装置ＳＰ、ＴＡから、１人の被監視者Ｏｂに対して入力する看介護記録における看介護の種類を通知するための通信信号（第１種類通知通信信号）をＳＶ通信ＩＦ部２１で受信した場合に、ＳＶ記憶部２３の書式情報記憶部２３４から、前記第１種類通知通信信号に収容された看介護の種類に対応する記録書式を取り出し、この取り出した記録書式を収容する通信信号（第１書式通知通信信号）を、前記種類通知通信信号を送信した送信元の前記端末装置ＳＰ、ＴＡへＳＶ通信ＩＦ部２１で返信する。より具体的には、ＳＶ看介護記録処理部２２３は、後述のように端末装置ＳＰ、ＴＡとの間で各通信信号を送受信することによって、看介護記録の対象者（被監視者Ｏｂ）を１人だけ選択する対象者選択処理、前記１人の対象者のために、所定の記録書式を１種類だけ選択する書式選択処理、および、記録書式を用いた看介護記録の記録処理の各処理を順次に実行する。
【００４２】
前記第２モードは、看介護記録の対象者を複数、特定し、これら特定した複数の対象者のために、看介護の種類に対応した１種類の記録書式を選定し、この選定した１種類の記録書式を用いて前記特定した複数の対象者それぞれに対して実施した看介護の各内容を入力することによって、看介護記録を実施するためのモードである。この第２モードでは、ＳＶ看介護記録処理部２２３は、端末装置ＳＰ、ＴＡから、複数の被監視者Ｏｂそれぞれに対して入力する看介護記録における看介護の種類を通知するための通信信号（第２種類通知通信信号）をＳＶ通信ＩＦ部２１で受信した場合に、ＶＳ記憶部２３の書式情報記憶部２３４から、前記種類通知通信信号に収容された看介護の種類に対応する記録書式を取り出し、前記端末装置ＳＰ、ＴＡで被監視者Ｏｂを変更しながら前記複数の被監視者Ｏｂそれぞれについて看介護の内容を入力できるように、前記取り出した記録書式を収容する通信信号（第２書式通知通信信号）を、前記第１種類通知通信信号を送信した送信元の前記端末装置ＳＰ、ＴＡへＳＶ通信ＩＦ部２１で返信する。より具体的には、ＳＶ看介護記録処理部２２３は、後述のように端末装置ＳＰ、ＴＡとの間で各通信信号を送受信することによって、看介護記録の対象者（被監視者Ｏｂ）を複数、選択する対象者選択処理、前記複数の対象者のために、所定の記録書式を１種類だけ選択する書式選択処理、および、前記複数の対象者それぞれについて、記録書式を用いた看介護記録の記録処理の各処理を順次に実行する。
【００４３】
後述するように、第１および第２書式通知通信信号それぞれには、前記記録書式として、被監視者名を表示する対象者名表示領域と、看介護の内容を看介護記録として入力するための看介護記録入力領域とを備える記録書式画面のデータ（記録書式画面の電子ファイル）が収容される。この第２モードでは、前記対象者名表示領域は、さらに、その表示された被監視者名と前記看介護記録入力領域とを互いに対応付けるための対象者対応付け領域であり、ＳＶ看介護記録処理部２２３は、前記端末装置ＳＰ、ＴＡで前記看介護記録入力領域を固定で表示しつつ前記複数の被監視者それぞれに対応する複数の対象者名表示領域を変更可能に表示できるように、前記取り出した記録書式を前記第２書式通知通信信号に収容する。
【００４４】
そして、この第２モードでは、ＳＶ看介護記録処理部２２３は、前記複数の被監視者Ｏｂ全ての各看介護記録を受信した場合に、選択可能な記録書式の種類を表示して記録書式の種類を選択するための書式選択画面のデータ（書式選択画面の電子ファイル）を収容する通信信号（選択可能種類通知通信信号）を、前記種類通知通信信号を送信した送信元の前記端末装置ＳＰ、ＴＡへ送信する。
【００４５】
なお、管理サーバ装置ＳＶは、図２に破線で示すように、必要に応じて、さらに、ＳＶ制御処理部２２に接続され例えば各種コマンドや各種データ等を入力するサーバ側入力部（ＳＶ入力部）２４、ＳＶ入力部２４で入力された各種コマンドや各種データおよび被監視者Ｏｂに対する監視に関する監視情報等を出力するサーバ側出力部（ＳＶ出力部）２５、および、外部機器との間でデータの入出力を行うサーバ側インターフェース部（ＳＶＩＦ部）２６等を備えても良い。
【００４６】
このような管理サーバ装置ＳＶは、例えば、通信機能付きのコンピュータによって構成可能である。
【００４７】
固定端末装置ＳＰは、ネットワークＮＷを介して他の装置ＳＵ、ＳＶ、ＴＡと通信する通信機能、所定の情報を表示する表示機能、および、所定の指示やデータを入力する入力機能等を備え、管理サーバ装置ＳＶや携帯端末装置ＴＡに与える所定の指示やデータを入力したり、センサ装置ＳＵで得られた監視情報を表示したり等することによって、被監視者監視システムＭＳのユーザインターフェース（ＵＩ）として機能する機器である。このような固定端末装置ＳＰは、例えば、通信機能付きのコンピュータによって構成可能である。なお、前記端末装置の一例としての固定端末装置ＳＰは、携帯端末装置ＴＡと同様に動作するが、本明細書では、前記端末装置の他の一例である携帯端末装置ＴＡについて説明される。
【００４８】
携帯端末装置ＴＡは、ネットワークＮＷを介して他の装置ＳＶ、ＳＰ、ＳＵと通信する通信機能、所定の情報を表示する表示機能、所定の指示やデータを入力する入力機能、および、音声通話を行う通話機能等を備え、管理サーバ装置ＳＶやセンサ装置ＳＵに与える所定の指示やデータ（看介護記録のデータを含む）を入力したり、管理サーバ装置ＳＶからの通知によってセンサ装置ＳＵで得られた前記監視情報を表示したり、センサ装置ＳＵとの間で音声通話によってナースコールの応答や声かけしたり等するための機器である。このような携帯端末装置ＴＡは、本実施形態では、例えば、図６および図７に示すように、端末側通信インターフェース部（ＴＡ通信ＩＦ部）３１と、端末側制御処理部（ＴＡ制御処理部）３２と、端末側記憶部（ＴＡ記憶部）３３と、端末側音入出力部（ＴＡ音入出力部）３４と、端末側入力部（ＴＡ入力部）３５（３５ａ、３５ｂ）と、端末側表示部（ＴＡ表示部）３６と、端末側インターフェース部（ＴＡＩＦ部）３７とを備える。
【００４９】
ＴＡ音入出力部３４は、ＴＡ制御処理部３２に接続され、外部の音を取得して携帯端末装置ＴＡに入力するための回路であって、ＴＡ制御処理部３２の制御に従って音を表す電気信号に応じた音を生成して出力するための回路である。ＴＡ音入出力部３４は、例えば、音の電気信号（音データ）を音の機械振動信号（音響信号）に変換するスピーカ等と、可聴領域の音の機械振動信号を電気信号に変換するマイクロフォン等とを備えて構成される。ＴＡ音入出力部３４は、外部の音を表す電気信号をＴＡ制御処理部３２へ出力し、また、ＴＡ制御処理部３２から入力された電気信号を音の機械振動信号に変換して出力する。
【００５０】
ＴＡ入力部３５は、ＴＡ制御処理部３２に接続され、例えば、所定の操作を受け付け、携帯端末装置ＴＡに入力する回路であり、例えば、所定の機能を割り付けられた複数の入力スイッチ等である。前記所定の操作には、例えば、ログインするためのＩＤの入力操作や、音声通話の要求操作およびその終了操作や、ライブでの動画の要求操作およびその終了操作や、前記通知されたイベントに関わる被監視者Ｏｂに対する例えば救命、看護、介護および介助等の対応（対処、処置、措置）を実行する意思が当該携帯端末装置ＴＡを扱う監視者（ユーザ）にある旨（“対応する”）の入力操作や、所定の記録書式を用いた看介護記録の入力操作等の、監視する上で必要な各種操作等が含まれる。ＴＡ表示部３６は、ＴＡ制御処理部３２に接続され、ＴＡ制御処理部３２の制御に従って、ＴＡ入力部３５から入力された所定の操作内容や、被監視者監視システムＭＳによって監視されている被監視者Ｏｂに対する監視に関する前記監視情報（例えば前記所定のイベント（センサ装置ＳＵで検知した所定の行動の種類やセンサ装置ＳＵで受け付けたナースコール）、被監視者Ｏｂの画像（静止画および動画）、および、前記通知を受けた時刻等）や、看介護記録を入力するための記録書式等を表示する回路であり、例えばＬＣＤ（液晶ディスプレイ）および有機ＥＬディスプレイ等の表示装置である。そして、本実施形態では、ＴＡ入力部３５は、図６に示すように、ＴＡ表示部３６とでタッチパネルを構成する、例えば抵抗膜方式や静電容量方式等の操作位置を検出して入力する位置入力デバイス３５ａと、ＴＡ表示部３６に表示されている画面（第１画面）の種類に応じて他の所定の画面（第２画面）へ戻る指示の入力を受け付ける、携帯端末装置ＴＡの筐体に設けられた入力スイッチ３５ｂとを備える。前記タッチパネルでは、ＴＡ表示部３６の表示面上に位置入力デバイス３５ａが設けられ、ＴＡ表示部３６に入力可能な１または複数の入力内容の候補が表示され、例えば看護師や介護士等のユーザ（監視者）が、入力したい入力内容を表示した表示位置を触れると、位置入力デバイス３５ａによってその位置が検出され、検出された位置に表示された表示内容がユーザの操作入力内容として携帯端末装置ＴＡに入力される。
【００５１】
ＴＡＩＦ部３７は、ＴＡ制御処理部３２に接続され、ＴＡ制御処理部３２の制御に従って、外部機器との間でデータの入出力を行う回路であり、例えば、Ｂｌｕｅｔｏｏｔｈ（登録商標）規格を用いたインターフェース回路、ＩｒＤＡ規格等の赤外線通信を行うインターフェース回路、および、ＵＳＢ規格を用いたインターフェース回路等である。
【００５２】
ＴＡ通信ＩＦ部３１は、ＳＶ通信ＩＦ部２１と同様に、ＴＡ制御処理部３２に接続され、ＴＡ制御処理部３２の制御に従って通信を行うための通信回路である。ＴＡ通信ＩＦ部３１は、例えば、ＩＥＥＥ８０２．１１規格等に従った通信インターフェース回路を備えて構成される。
【００５３】
ＴＡ記憶部３３は、ＴＡ制御処理部３２に接続され、ＴＡ制御処理部３２の制御に従って、各種の所定のプログラムおよび各種の所定のデータを記憶する回路である。前記各種の所定のプログラムには、例えば、携帯端末装置ＴＡの各部を当該各部の機能に応じてそれぞれ制御するＴＡ制御プログラムや、被監視者Ｏｂに対する監視に関する所定の情報処理を実行するＴＡ監視処理プログラムや、ＴＡ音入出力部３４等を用いることでセンサ装置ＳＵとの間で音声通話を行う通話処理プログラムや、センサ装置ＳＵから動画の配信を受け、前記配信を受けた動画をストリーミング再生でＴＡ表示部３６に表示するストリーミング処理プログラムや、看介護記録に関する所定の情報処理を実行するＴＡ看介護記録処理プログラム等の制御処理プログラムが含まれる。前記各種の所定のデータでは、自機の端末ＩＤ、被監視者Ｏｂの前記監視情報、センサ装置ＳＵに関するセンサ情報、および、ＴＡ表示部３６に表示される画面情報等の各プログラムを実行する上で必要なデータ等が含まれる。ＴＡ記憶部３３は、例えばＲＯＭやＥＥＰＲＯＭ等を備える。ＴＡ記憶部３３は、前記所定のプログラムの実行中に生じるデータ等を記憶するいわゆるＴＡ制御処理部３２のワーキングメモリとなるＲＡＭ等を含む。
【００５４】
これら監視情報、センサ情報および画面情報それぞれを記憶するために、ＴＡ記憶部３３は、端末側監視情報記憶部（ＴＡ監視情報記憶部）３３１、端末側センサ情報記憶部（ＴＡセンサ情報記憶部）３３２および画面情報記憶部３３３を機能的に備え、さらに、データ仮記憶部３３４を機能的に備える。
【００５５】
ＴＡ監視情報記憶部３３１は、前記監視情報を記憶するものである。本実施形態では、ＴＡ監視情報記憶部３３１は、前記監視情報として、管理サーバ装置ＳＶから受信した第２イベント通知通信信号に収容されたセンサＩＤ、イベント情報（事象情報、本実施形態では入床、起床、離床、転倒およびナースコール）、画像および動画のダウンロード先のセンサ装置ＳＵの通信アドレス、ならびに、当該第２イベント通知通信信号の受信時刻および対処の有無等を互いに対応付けて記憶する。より具体的には、ＴＡ監視情報記憶部３３１は、図３に示すように、ＳＶ監視情報テーブルＭＴ−ＳＶと同様な端末側監視情報テーブル（ＴＡ監視情報テーブル）ＭＴ−ＴＡに前記監視情報を記憶する。
【００５６】
ＴＡセンサ情報記憶部３３２は、前記センサ情報を記憶するものである。ＴＡセンサ情報記憶部３３２は、センサＩＤ、配設場所、被監視者名および備考を互いに対応付けて記憶する。より具体的には、ＴＡセンサ情報記憶部３３２は、図５に示すように、ＳＶセンサ情報テーブルＳＴ−ＳＶと同様な端末側センサ情報テーブル（ＴＡセンサ情報テーブル）ＳＴ−ＴＡに前記センサ情報を記憶する。
【００５７】
画面情報記憶部３３３は、比較的多用する、例えば後述の待受け画面５１等の電子ファイルを予め記憶したり、管理サーバ装置ＳＶから受信した所定の記録書式画面６４等の電子ファイルを記憶したりするものである。
【００５８】
データ仮記憶部３３４は、ＴＡ入力部３５で入力されたデータをその処理に必要な間だけ一時的に記憶するものである。
【００５９】
ＴＡ制御処理部３２は、携帯端末装置ＴＡの各部を当該各部の機能に応じてそれぞれ制御し、被監視者Ｏｂの前記監視情報を受けて表示し、ナースコールの応答や声かけするための回路である。そして、本実施形態では、ＴＡ制御処理部３２は、所定の記録書式を用いた看介護記録の入力処理を実行する。ＴＡ制御処理部３２は、例えば、ＣＰＵおよびその周辺回路を備えて構成される。ＴＡ制御処理部３２は、制御処理プログラムが実行されることによって、端末側制御部（ＴＡ制御部）３２１、端末側監視処理部（ＴＡ監視処理部）３２２、通話処理部３２３、ストリーミング処理部３２４および端末側看介護記録処理部（ＴＡ看介護記録処理部）３２５を機能的に備える。
【００６０】
ＴＡ制御部３２１は、携帯端末装置ＴＡの各部を当該各部の機能に応じてそれぞれ制御し、携帯端末装置ＴＡの全体制御を司るものである。
【００６１】
ＴＡ監視処理部３２２は、被監視者Ｏｂに対する監視に関する所定の情報処理を実行するものである。より具体的には、ＴＡ監視処理部３２２は、センサ装置ＳＵによって送信された第１イベント通知通信信号、に起因して管理サーバ装置ＳＶによって送信された第２イベント通知通信信号を受信した場合に、この受信した第２イベント通知通信信号に収容された各情報（各データ）に基づき、被監視者Ｏｂの監視情報をＴＡ監視情報記憶部３３１に記憶（記録）する。ＴＡ監視処理部３２２は、この受信した第２イベント通知通信信号に収容された各情報に応じた画面をＴＡ表示部３６に表示する。そして、ＴＡ監視処理部３２２は、ＴＡ入力部３５から所定の入力操作を受け付けると、その入力操作に応じた所定の処理を実行する。
【００６２】
通話処理部３２３は、ＴＡ音入出力部３４等を用いることでセンサ装置ＳＵとの間で音声通話を行うものである。より具体的には、例えば、通話処理部３２３は、ＴＡ音入出力部３４等を用い、第２イベント通知通信信号の送信の原因となった第１イベント通知通信信号を管理サーバ装置ＳＶへ送信した送信元のセンサ装置ＳＵとの間で例えばＶｏＩＰ（Ｖｏｉｃｅ  ｏｖｅｒ  Ｉｎｔｅｒｎｅｔ  Ｐｒｏｔｏｃｏｌ）によって音声通話を行う。
【００６３】
ストリーミング処理部３２４は、センサ装置ＳＵから動画（例えばライブの動画）の配信を受け、前記配信を受けた動画をストリーミング再生でＴＡ表示部３６に表示するものである。
【００６４】
ＴＡ看介護記録処理部３２５は、看介護記録に関する所定の情報処理を実行するものである。より具体的には、ＴＡ看介護記録処理部３２５は、前記第１および第２モード（前記第１および第２モード）で、所定の記録書式を用いた看介護記録の入力処理を実行する。そして、この第２モードにおいて、ＴＡ表示部３６に表示された記録書式画面６４において、ＴＡ表示部３６に表示している前記対象者名表示領域に表示された被監視者名と、ＴＡ表示部３６に表示している前記看介護記録入力領域に入力された看介護の内容とを、互いに対応付けて管理サーバ装置ＳＶへ送信する指示をＴＡ入力部３５で受け付けると、ＴＡ看介護記録処理部３２５は、ＴＡ表示部３６に表示している前記対象者名表示領域に表示された被監視者名と、ＴＡ表示部３６に表示している前記看介護記録入力領域に入力された看介護の内容とを収容する通信信号（看介護記録通知通信信号）を管理サーバ装置ＳＶへＴＡ通信ＩＦ部３１で送信し、前記複数の被監視者Ｏｂから前記看介護記録通知通信信号に収容された被監視者名の被監視者Ｏｂを除いた残余の被監視者Ｏｂの中のいずれか１人の被監視者名を表示する前記対象者名表示領域と前記看介護記録入力領域とを備える記録書式画面をＴＡ表示部３６に新たに表示し、前記残余の被監視者Ｏｂを新たに前記複数の被監視者Ｏｂとする。
【００６５】
このような携帯端末装置ＴＡは、例えば、いわゆるタブレット型コンピュータやスマートフォンや携帯電話機等の、持ち運び可能な通信端末装置によって構成可能である。
【００６６】
次に、本実施形態における被監視者監視システムの動作について説明する。図８は、前記携帯端末装置に表示される待受け画面の一例を示す図である。図９は、前記携帯端末装置に表示される監視情報画面の一例を示す図である。図１０は、前記携帯端末装置に表示されるナースコール受付画面の一例を示す図である。図１１は、実施形態の被監視者監視システムにおける第１モードでの看介護記録の動作を示すシーケンス図である。図１２は、実施形態の被監視者監視システムにおける第２モードでの看介護記録の動作を示すシーケンス図である。図１３は、前記携帯端末装置に表示される対象者選択画面の一例を示す図である。図１４は、前記携帯端末装置に表示されるサブメニュー画面の一例を示す図である。図１５は、前記携帯端末装置に表示される第１書式選択画面の一例を示す図である。図１６は、前記携帯端末装置に表示される食事ケア用記録書式画面の一例を示す図である。図１７は、前記携帯端末装置に表示されるモーニングケア用記録書式画面（イブニングケア用記録書式画面）の一例を示す図である。図１８は、前記携帯端末装置に表示される排泄ケア用記録書式画面の一例を示す図である。図１９は、前記携帯端末装置に表示された対象者選択画面において、複数の被監視者を選択した後の対象者選択画面を示す図である。図２０は、前記携帯端末装置に表示される第２書式選択画面の一例を示す図である。図２１は、第２モードでの看介護記録の入力手順を説明するための図である。看介護記録の対象者として３人が選択された場合において、図２１Ａは、第１番目の対象者のための食事ケア用記録書式画面を示し、図２１Ｂは、第２番目の対象者のための食事ケア用記録書式画面を示し、図２１Ｃは、第３番目の対象者のための食事ケア用記録書式画面を示す。そして、図２１では、携帯端末装置ＴＡのＴＡ表示部３６には、図２１Ｂに示す第２番目の対象者のための食事ケア用記録書式画面が表示されている。
【００６７】
以下では、まず、第１に、図８ないし図１０を用いて、被監視者を監視する監視動作について説明し、次に、第２に、図１１、および、図１３ないし図１８を用いて、前記第１モードでの看介護記録の処理について説明し、次に、第３に、図１２、図１３、および、図１５ないし図２１を用いて、前記第２モードでの看介護記録の処理について説明する。
【００６８】
上記構成の被監視者監視システムＭＳでは、各装置ＳＵ、ＳＶ、ＳＰ、ＴＡは、電源が投入されると、必要な各部の初期化を実行し、その稼働を始める。管理サーバ装置ＳＶでは、その制御処理プログラムの実行によって、ＳＶ制御処理部２１には、ＳＶ制御部２２１、ＳＶ監視処理部２２２およびＳＶ看介護記録処理部２２３が機能的に構成される。携帯端末装置ＴＡでは、その制御処理プログラムの実行によって、ＴＡ制御処理部３２には、ＴＡ制御部３２１、ＴＡ監視処理部３２２、通話処理部３２３、ストリーミング処理部３２４およびＴＡ看介護記録処理部３２５が機能的に構成される。
【００６９】
（監視動作）
監視動作では、センサ装置ＳＵは、各フレームごとに、あるいは、数フレームおきに、次のように動作することで、被監視者Ｏｂにおける所定の動作を検知し、また、ナースコールの受付の有無を判定している。まず、センサ装置ＳＵは、前記画像センサから１フレーム分の画像（画像データ）を対象画像として取得し、この取得した対象画像に基づいて被監視者Ｏｂにおける所定の行動を検知し、前記所定の行動を検知すると、その検知結果を所定の端末装置ＳＰ、ＴＡへ通知するために、前記イベント情報として検知した前記所定の行動を収容した、前記所定の行動の検知にかかる第１イベント通知通信信号を、管理サーバ装置ＳＶへ送信する。このように動作している間に、センサ装置ＳＵは、ナースコールを受け付けているか否かを判定し、ナースコールを受け付けると、そのナースコールの受付を所定の端末装置ＳＰ、ＴＡへ通知するために、センサ装置ＳＵは、前記イベント情報として前記受け付けたナースコールを収容した、前記ナースコールの受付にかかる第１イベント通知通信信号を、管理サーバ装置ＳＶへ送信する。
【００７０】
管理サーバ装置ＳＶは、第１イベント通知通信信号をネットワークＮＷを介してセンサ装置ＳＵから受信すると、ＳＶ監視処理部２２２によって、この第１イベント通知通信信号に収容されたセンサＩＤおよびイベント情報等の各情報を、このセンサＩＤを持つセンサ装置ＳＵで監視されている被監視者Ｏｂの監視情報として記憶（記録）する。そして、管理サーバ装置ＳＶは、ＳＶ監視処理部２２２によって、前記通知先対応関係から、前記受信した第１イベント通知通信信号における送信元（通知元）のセンサ装置ＳＵに対応する通知先の端末装置ＳＰ、ＴＡを特定し、この通知先の端末装置ＳＰ、ＴＡへ第２イベント通知通信信号を送信する。
【００７１】
固定端末装置ＳＰおよび携帯端末装置ＴＡは、前記第２イベント通知通信信号をネットワークＮＷを介して管理サーバ装置ＳＶから受信すると、ＴＡ監視処理部３２２によって、この第２イベント通知通信信号に収容されたセンサＩＤおよびイベント情報等の各情報を、このセンサＩＤを持つセンサ装置ＳＵで監視されている被監視者Ｏｂの監視情報として記憶（記録）し、前記監視情報を表示する。
【００７２】
より具体的には、代表的に、携帯端末装置ＴＡの動作について説明すると、上述したように、電源が投入され、その稼働を始めると、携帯端末装置ＴＡでは、例えば看護師や介護士等の監視者（ユーザ）によるログイン操作が受け付けられ、ＴＡ監視処理部３２２によって、自機宛の通信信号を待ち受ける待受け画面がＴＡ表示部３６に表示される。この待受け画面５１は、例えば、図８に示すように、メニューバーを表示するメニューバー領域５１１と、待ち受け中であることを表すメッセージ（例えば「通知はありません」）およびアイコンを表示する待受けメイン領域５１２と、現在時刻を表示する時刻領域５１３と、今日の年月日曜日を表示する年月日曜日領域５１４と、今、当該携帯端末装置ＴＡにログインしているユーザ名を表示するユーザ名領域５１５とを備える。ログイン操作を受け付けると、携帯端末装置ＴＡは、ＴＡ監視処理部３２２によって、自機の端末ＩＤおよび自機にログインした監視者（ユーザ）の氏名を収容した通信信号（ログイン通知通信信号）を管理サーバ装置ＳＶへ送信する。管理サーバ装置ＳＶは、このログイン通知通信信号を受信すると、ＳＶ監視処理部２２２によって、この受信したログイン通知通信信号に収容された端末ＩＤと監視者の氏名（監視者情報）とを互いに対応付けてＳＶ記憶部２３に記憶する。
【００７３】
自機宛の通信信号を待ち受け中では、携帯端末装置ＴＡは、ＴＡ制御処理部３２のＴＡ制御部３２１によって、通信信号を受信するまで繰り返し、ＴＡ通信ＩＦ部３１で通信信号を受信したか否かを判定し、通信信号を受信すると、この受信した通信信号の種類を判定する。この判定の結果、携帯端末装置ＴＡは、この受信した通信信号が第２イベント通知通信信号ではない場合には、前記受信した通信信号に応じた適宜な処理を行って本処理を終了し、次の自機宛の通信信号を待ち受ける。一方、前記受信した通信信号が第２イベント通知通信信号である場合（第２イベント通知）には、携帯端末装置ＴＡは、ＴＡ制御処理部３２のＴＡ監視処理部３２２によって、前記受信した第２イベント通知通信信号に収容された、被監視者Ｏｂに対する監視に関する監視情報をＴＡ監視情報記憶部３３１に記憶（記録）し、前記受信した第２イベント通知通信信号に収容された各情報に応じた画面をＴＡ表示部３６に表示する。
【００７４】
より詳しくは、ＴＡ監視処理部３２２は、前記受信した第２イベント通知通信信号に収容された前記イベント情報が前記所定の行動である場合には、例えば図９に示す監視情報画面５２をＴＡ表示部３６に表示し、一方、前記受信した第２イベント通知通信信号に収容された前記イベント情報が前記ナースコールである場合には、例えば図１０に示すナースコール受付画面５３をＴＡ表示部３６に表示する。
【００７５】
この監視情報画面５２は、被監視者Ｏｂの監視に関する前記監視情報を表示するための画面である。前記監視情報画面５２は、例えば、図９に示すように、メニューバー領域５１１と、前記受信した第２イベント通知通信信号に収容されたセンサＩＤを持つセンサ装置ＳＵの配設場所および前記センサＩＤを持つ前記センサ装置ＳＵによって監視される被監視者Ｏｂの名前を表示する被監視者名領域５２１と、前記受信した第２イベント通知通信信号の受信時刻（または前記所定の行動の検知時刻）からの経過時間、および、前記受信した第２イベント通知通信信号に収容された前記イベント情報（前記所定の行動の検知結果）を表示する検知情報表示領域５２２と、前記受信した第２イベント通知通信信号に収容された画像（すなわち、前記センサＩＤを持つ前記センサ装置ＳＵによって撮像された対象画像）（ここでは静止画）を表示する画像領域５２３と、「対応する」ボタン５２４と、「話す」ボタン５２５と、「ＬＩＶＥを見る」ボタン５２６とを備える。
【００７６】
被監視者名領域５２１にセンサ装置ＳＵの配設場所および被監視者Ｏｂの名前を表示するために、前記受信した第２イベント通知通信信号に収容されたセンサＩＤを検索キーに、センサ装置ＳＵの配設場所および被監視者Ｏｂの名前がＴＡセンサ情報記憶部３３２から検索され、表示される。検知情報表示領域５２２には、前記受信した第２イベント通知通信信号に収容された前記検知結果（本実施形態では、入床、起床、離床および転倒の各名称）がそのまま表示されても良いが、本実施形態では、前記検知結果を象徴的に表すアイコンで表示されている。このアイコンで表示するために、ＴＡ記憶部３３には、各行動およびその行動を象徴的に表すアイコンが互いに対応付けられて予め記憶される。図９に示す例では、検知情報表示領域５２２には、起床を象徴的に表す起床アイコンが表示されている。「対応する」ボタン５２４は、監視情報画面５２では、この監視情報画面５２に表示された検知結果に対し例えば救命、看護、介護および介助等の所定の対応（対処、処置、措置）を実施する意思が当該携帯端末装置ＴＡのユーザにある旨を、当該携帯端末装置ＴＡに入力するためのボタンである。「話す」ボタン５２５は、音声通話を要求するためのボタンであって、前記センサＩＤの前記センサ装置ＳＵと当該携帯端末装置ＴＡとをネットワークＮＷを介して通話可能に接続する指示を入力するためのボタンである。「ＬＩＶＥを見る」ボタン５２６は、ライブでの動画を要求するためのボタンであって、前記センサＩＤの前記センサ装置ＳＵによって撮像される動画を表示させる指示を入力するためのボタンである。
【００７７】
前記ナースコール受付画面５３は、ナースコールの受付を表示するための画面である。このナースコール受付画面５３は、例えば、図１０に示すように、メニューバー領域５１１と、被監視者名領域５２１と、検知情報表示領域５２２と、ナースコールを受け付けた旨を表すメッセージ（例えば「ナースコールです」）を表示するナースコール受付通知表示領域５３１と、「対応する」ボタン５２４と、「話す」ボタン５２５とを備える。このナースコール受付画面５３では、検知情報表示領域５２２には、前記受信した第２イベント通知通信信号の受信時刻（または前記ナースコールを受け付けた受付時刻）からの経過時間のみが表示される。なお、ナースコール受付画面５３は、「ＬＩＶＥを見る」ボタン５２６をさらに備えても良い。
【００７８】
そして、このような監視情報画面５２やナースコール受付画面５３の表示中に、携帯端末装置ＴＡは、ＴＡ制御処理部３２によって、入力操作を受け付けるまで繰り返し、ＴＡ入力部３５およびＴＡ表示部３６を備えて成るタッチパネルで入力操作を受け付けたか否かを、判定する。入力操作を受け付けると、携帯端末装置ＴＡは、ＴＡ制御処理部３２によって、入力操作の内容に応じた適宜な処理を実行し、本処理を終了し、そして、次の自機宛の通信信号を待ち受ける。
【００７９】
例えば、携帯端末装置ＴＡは、ＴＡ制御処理部３２によって、前記タッチパネルを構成するＴＡ入力部３５から「対応する」ボタン５２４の入力操作を受け付けると、まず、現在、ＴＡ表示部３６に表示している被監視者Ｏｂの監視情報に、「対応する」を受け付けた旨を付してＴＡ監視情報記憶部３３１に記憶する。より具体的には、ＴＡ制御処理部３２は、ＴＡ監視情報記憶部３３１に記憶されているＴＡ監視情報テーブルＭＴ−ＴＡにおいて、現在、ＴＡ表示部３６に表示している被監視者Ｏｂの監視情報を登録しているレコード（ここでは前記受信した第２イベント通知通信信号に収容されていた監視情報を登録したレコード）の対応フィールド３３１６に、対応の受付を表す対応フラグ「１」を登録する。そして、ＴＡ制御処理部３２は、ＴＡ表示部３６に表示している被監視者Ｏｂの監視情報に対応するセンサＩＤ、イベント情報および「対応する」を受け付けた旨を表す情報（対応有意思情報）を収容した通信信号（対応有意思通知通信信号）を管理サーバ装置ＳＶへ送信する。この対応有意思通知通信信号を受信した管理サーバ装置ＳＶは、まず、ＳＶ制御処理部２２によって、ＳＶ監視情報記憶部２３１に記憶されているＳＶ監視情報テーブルＭＴ−ＳＶにおいて、前記受信した対応有意思通知通信信号に収容されているセンサＩＤおよびイベント情報それぞれをセンサＩＤフィールド２３１１およびイベントフィールド２３１２それぞれに登録し、かつ、対応フィールド２３１６に対応フラグ「０」を登録しているレコードの対応フィールド２３１６に、対応の受付を表す対応フラグ「１」を登録し、次に、前記受信した対応有意思通知通信信号に収容されたセンサＩＤ、イベント情報および対応有意思情報を収容した通信信号（対応有意思周知通信信号）を同報通信で端末装置ＳＰ、ＴＡへ送信する。これによって、ＴＡ表示部３６に表示している被監視者Ｏｂの監視情報に対応するセンサＩＤに関し、「対応する」を受け付けた旨が各端末装置ＳＰ、ＴＡ間で同期される。
【００８０】
また例えば、携帯端末装置ＴＡは、ＴＡ制御処理部３２によって、「話す」ボタン５２５の入力操作を受け付けると、通話処理部３２３によって、ＴＡ表示部３６に表示している被監視者Ｏｂを監視するセンサ装置ＳＵへ、音声通話を要求する旨等の情報を収容した通信信号（通話要求通信信号）を送信し、これに応じたセンサ装置ＳＵとネットワークＮＷを介して音声通話可能に接続する。これによって携帯端末装置ＴＡとセンサ装置ＳＵとの間で音声通話が可能となる。なお、携帯端末装置ＴＡは、ＴＡ制御処理部３２によって、音声通話の終了の指示を入力するためのボタンである図略の「終了」ボタンの入力操作を受け付けると、通話処理部３２３によって、ＴＡ表示部３６に表示している被監視者Ｏｂを監視するセンサ装置ＳＵへ、音声通話の終了を要求する旨等の情報を収容した通信信号（通話終了通信信号）を送信する。これによって携帯端末装置ＴＡとセンサ装置ＳＵとの間での音声通話が終了される。
【００８１】
また例えば、携帯端末装置ＴＡは、ＴＡ制御処理部３２によって、「ＬＩＶＥを見る」ボタン５２６の入力操作を受け付けると、ＴＡストリーミング処理部３２４によって、現在、ＴＡ表示部３６に表示している被監視者Ｏｂを監視するセンサ装置ＳＵへ、ライブでの動画の配信を要求する旨等の情報を収容した通信信号（動画配信要求通信信号）を送信し、これに応じたセンサ装置ＳＵとネットワークＮＷを介して動画のダウンロード可能に接続し、前記センサ装置ＳＵからライブでの動画の配信を受け、この配信を受けた動画をストリーミング再生でＴＡ表示部３６に表示する。このライブでの動画を表示する監視情報画面５２では、画像領域５２３に動画が表示され、そして、「ＬＩＶＥを見る」ボタン５２６に代え図略の「ＬＩＶＥ終了」ボタンが表示される。これによって携帯端末装置ＴＡには、ライブでの動画が表示される。前記図略の「ＬＩＶＥ終了」ボタンは、動画の終了を要求するためのボタンであって、前記センサＩＤの前記センサ装置ＳＵによって撮像される動画の配信を終了（停止）させ表示を終了（停止）させる指示を入力するためのボタンである。携帯端末装置ＴＡは、ＴＡ制御処理部３２によって、「ＬＩＶＥ終了」ボタンの入力操作を受け付けると、ＴＡストリーミング処理部３２４によって、現在、ＴＡ表示部３６に表示している被監視者Ｏｂを監視するセンサ装置ＳＵへ、動画配信の終了を要求する旨等の情報を収容した通信信号（動画配信終了通信信号）を送信し、静止画をＴＡ表示部３６に表示する。これによって携帯端末装置ＴＡは、ライブでの動画の表示を終了する。
【００８２】
このような動作によって、被監視者監視システムＭＳは、各センサ装置ＳＵ、管理サーバ装置ＳＶ、固定端末装置ＳＰおよび携帯端末装置ＴＡによって、大略、各被監視者Ｏｂにおける所定の行動を検知し、ナースコールを受け付けて、各被監視者Ｏｂを監視している。
【００８３】
（第１モードの看介護記録の動作）
第１モードでの看介護記録の処理では、図１１において、携帯端末装置ＴＡは、前記タッチパネルを構成するＴＡ入力部３５から、待受け画面５１、監視情報画面５２およびナースコール受付画面５３等におけるメニューバー領域５１１の対象者選択ボタン５１１１の入力操作を受け付けると、ＴＡ看介護記録処理部３２５によって、対象者の選択を要求するための通信信号（対象者選択要求通信信号）を管理サーバ装置ＳＶへ送信する（Ｃ１１）。前記対象者選択要求通信信号には、対象者の選択を要求する命令（指示、コマンド、対象者選択要求命令）および自機の端末ＩＤが収容される。前記対象者選択ボタン５１１１は、対象者選択画面６１を表示する指示を、当該携帯端末装置ＴＡに入力するためのボタンである。
【００８４】
携帯端末装置ＴＡから対象者選択要求通信信号を受信すると、管理サーバ装置ＳＶは、ＳＶ制御処理部２２によって、看介護記録の対象者として選択可能な被監視者Ｏｂを表示し、看介護記録の対象者（被監視者Ｏｂ）を選択するための画面（対象者選択画面）のデータ（電子ファイル）を収容した通信信号（選択可能対象者通知通信信号）を前記携帯端末装置ＴＡへ返信する（Ｃ１２）。
【００８５】
前記対象者選択画面６１は、例えば、図１３に示すように、メニューバー領域５１１と、選択可能な１または複数の対象者を一覧で表示する対象者表示領域６１１（６１１−１〜６１１−５）と、「確定」ボタン６１２とを備える。対象者表示領域６１１は、選択チェックボタン６１１ａ（６１１ａ−１〜６１１ａ−５）と、選択チェックボタン６１１ａと対応付けて前記選択チェックボタン６１１ａと並置するように設けられた対象者サブ表示領域６１１ｂ（６１１ｂ−１〜６１１ｂ−５）とを備える。対象者表示領域６１１に、選択可能な対象者を一覧で表示するために、ＳＶ制御処理部２２は、ＳＶセンサ情報記憶部２３３に記憶されたＳＶセンサ情報テーブルＳＴ−ＳＶにおける被監視者名フィールド３３３３および配設場所フィールド３３３２それぞれに登録されている被監視者名および配設場所それぞれを各レコードから取り出し、配設場所および被監視者名をセット（組）で、対象者サブ表示領域６１１ｂに、当該対象者選択画面６１を表示する携帯端末装置ＴＡのＴＡ表示部３６を正面視した場合に上から下へ順に所定の基準でソートされて一覧で表示されるように、配置する。ソートの基準は、任意であり、例えば、被監視者名の５０音順（アルファベット順）や、配設場所の部屋番号順等である。図１３に示す例では、配設場所および被監視者名の各セットは、配設場所の部屋番号順でソートされている。そして、この対象者選択画面６１が携帯端末装置ＴＡのＴＡ表示部３６に表示された場合に、対象者サブ表示領域６１１ｂ（６１１ｂ−１〜６１１ｂ−５）は、１人の対象者（被監視者Ｏｂ）を入力するために用いられ、監視者（携帯端末装置ＴＡのユーザ）によって選択された対象者を、当該携帯端末装置ＴＡに入力するためのボタン（１人用対象者選択ボタン）でもある。選択チェックボタン６１１ａ（６１１ａ−１〜６１１ａ−５）は、対象者選択画面６１が携帯端末装置ＴＡのＴＡ表示部３６に表示された場合に、複数の対象者（被監視者Ｏｂ）を入力するために用いられ、監視者（携帯端末装置ＴＡのユーザ）によって選択された対象者を、当該携帯端末装置ＴＡに入力するためのボタン（複数人用対象者選択ボタン）である。「確定」ボタン６１２は、対象者表示領域６１１から入力された対象者を管理サーバ装置ＳＶへ通知するための通信信号（選択対象者通知通信信号（第１および第２選択対象者通知通信信号））を管理サーバ装置ＳＶへ送信する指示を、当該携帯端末装置ＴＡに入力するためのボタンである。
【００８６】
管理サーバ装置ＳＶから選択可能対象者通知通信信号を受信すると、携帯端末装置ＴＡは、ＴＡ制御処理部３２によって、対象者選択画面６１をＴＡ表示部３６に表示する。なお、ＴＡ表示部３６の表示領域より、対象者表示領域６１１が広く、全ての選択チェックボタン６１１ａおよび対象者サブ表示領域６１１ｂがＴＡ表示部３６の表示領域に表示できない場合には、例えばフリック（ｆｌｉｃｋ  ｉｎｐｕｔ）によってＴＡ表示部３６の表示領域に表示される対象者表示領域６１１の領域部分が変更(例えばスクロール等)され、ＴＡ表示部３６の表示領域に表示されていない選択チェックボタン６１１ａおよび対象者サブ表示領域６１１ｂが表示できるようになっている。
【００８７】
このような対象者選択画面６１がＴＡ表示部３６に表示されている場合に、第１モードでは、携帯端末装置ＴＡのユーザ（監視者）は、１人の対象者を選択するために、いずれか１つの対象者サブ表示領域６１１ｂを入力操作し、「確定」ボタン６１２を入力操作する。
【００８８】
前記タッチパネルを構成するＴＡ入力部３５から、対象者サブ表示領域６１１ｂの入力操作を受け付けた後に、「確定」ボタン６１２の入力操作を受け付けると、携帯端末装置ＴＡは、ＴＡ制御処理部３２によって、対象者サブ表示領域６１１ｂから入力された１人の対象者（被監視者Ｏｂ）を管理サーバ装置ＳＶへ通知するための通信信号（第１選択対象者通知通信信号）を管理サーバ装置ＳＶへ送信する（Ｃ１３）。この第１選択対象者通知通信信号には、対象者サブ表示領域６１１ｂ−１〜６１１ｂ−５の入力操作によって入力された１人の対象者の被監視者名および自機の端末ＩＤが収容される。
【００８９】
携帯端末装置ＴＡから第１選択対象者通知通信信号を受信すると、管理サーバ装置ＳＶは、ＳＶ制御処理部２２によって、前記第１選択対象者通知通信信号に収容された被監視者名を、前記第１選択対象者通知通信信号の送信元である携帯端末装置ＴＡの端末ＩＤと対応付けてＳＶ記憶部２３に記憶する。そして、管理サーバ装置ＳＶは、ＳＶ制御処理部２２によって、選択可能なサブメニューを表示し、サブメニューを選択するための画面（サブメニュー画面）のデータ（電子ファイル）を収容した通信信号（サブメニュー通知通信信号）を前記携帯端末装置ＴＡへ返信する（Ｃ１４）。前記サブメニュー画面６２は、例えば図１４に示すように、メニューバー領域５１１と、対象者選択画面６１で選択された対象者名を表示する対象者名表示領域６２１と、選択可能な１または複数のサブメニューをその名称で一覧で表示するサブメニュー表示領域６２２（６２２−１〜６２２−３）とを備える。図１４に示す例では、図１３に示す対象者選択画面６１で「１０１号室Ｋ田Ｍ雄」を表示する領域（対象者サブ表示領域、１人用対象者選択ボタン）６１１ｂ−１が携帯端末装置ＴＡで監視者によって入力操作され、対象者名表示領域６２１には、「１０１号室Ａ様」が表示されている。サブメニュー表示領域６２２は、図１４に示す例では、サブメニューとして、「ケア実施入力」ボタン６２２−１と、「話す」ボタン６２２−２と、「一時オフする」ボタン６２２−３とを備える。「ケア実施入力」ボタン６１３は、端末装置ＳＰ、ＴＡから監視者によって１人の対象者（被監視者Ｏｂ）に対する看介護記録を管理サーバ装置ＳＶに記録する指示を、当該携帯端末装置ＴＡに入力するためのボタンである。「話す」ボタン６２２−２は、上述の「話す」ボタン５２５と同様に、音声通話を要求するためのボタンであって、対象者名表示領域６２１に表示されている被監視者Ｏｂを監視するセンサ装置ＳＵと当該携帯端末装置ＴＡとをネットワークＮＷを介して通話可能に接続する指示を入力するためのボタンである。「一時オフする」ボタン６２２−３は、対象者名表示領域６２１に表示されている被監視者Ｏｂに対するセンサ装置ＳＵによる監視を一時的に止める指示を入力するためのボタンである。なお、前記対象者名表示領域６２１は、サブメニュー画面６２が携帯端末装置ＴＡのＴＡ表示部３６に表示された場合に、対象者選択画面６１を表示する指示を、当該携帯端末装置ＴＡに入力するためのボタンでもあっても良い。したがって、この場合では、監視者は、対象者名表示領域６２１を入力操作することで、対象者選択画面６１から対象者を変更できる。
【００９０】
管理サーバ装置ＳＶからサブメニュー通知通信信号を受信すると、携帯端末装置ＴＡは、ＴＡ制御処理部３２によって、サブメニュー画面６２をＴＡ表示部３６に表示する。
【００９１】
このようなサブメニュー画面６２がＴＡ表示部３６に表示されている場合に、第１モードでは、携帯端末装置ＴＡのユーザ（監視者）は、１人の対象者に対する看介護記録を実施するために、「ケア実施入力」ボタン６２２−１を入力操作する。
【００９２】
「ケア実施入力」ボタン６２２−１の入力操作を受け付けると、携帯端末装置ＴＡは、ＴＡ看介護記録処理部３２５によって、看介護の種類（看介護記録の種類、記録書式の種類）の選択を要求するための通信信号（種類選択要求通信信号）を管理サーバ装置ＳＶへ送信する（Ｃ１５）。前記種類選択要求通信信号には、看介護の種類（看介護記録の種類、記録書式の種類）の選択を要求する命令（指示、コマンド、種類選択要求命令）および自機の端末ＩＤが収容される。
【００９３】
携帯端末装置ＴＡから種類選択要求通信信号を受信すると、管理サーバ装置ＳＶは、ＳＶ看介護記録処理部２２３によって、看介護の種類に応じて予め用意され選択可能な記録書式の種類を表示し、１人の対象者のために１つの記録書式の種類を選択するための画面（第１書式選択画面）のデータ（電子ファイル）を収容した通信信号（第１選択可能種類通知通信信号）を前記携帯端末装置ＴＡへ返信する（Ｃ１６）。
【００９４】
前記第１書式選択画面６３は、例えば、図１５に示すように、メニューバー領域５１１と、対象者選択画面６１で選択された対象者名を表示する対象者名表示領域６２１と、１人の対象者のために、選択可能な１または複数の記録書式の種類をその名称で一覧で表示する書式表示領域６３１（６３１−１〜６３１−４）とを備える。そして、この記録書式名を表示する個々の領域６３２−１〜６３１−４は、第１書式選択画面６３が携帯端末装置ＴＡのＴＡ表示部３６に表示された場合に、監視者によって選択された記録書式の種類（図１５に示す例では記録書式名）を、当該携帯端末装置ＴＡに入力するためのボタン（第１種類選択ボタン）でもある。図１５に示す例では、書式表示領域６３１は、食事ケア用の記録書式名として「食事ケア」を表示する「食事ケア」領域６３１−１と、水分ケア用の記録書式名として「水分ケア」を表示する「水分ケア」領域６３１−２と、モーニングケア用の記録書式名として「モーニングケア」を表示する「モーニングケア」領域６３１−３と、排泄ケア用の記録書式名として「排泄ケア」を表示する「排泄ケア」領域６３１−４とを備える。そして、第１書式選択画面６３が携帯端末装置ＴＡのＴＡ表示部３６に表示された場合に、前記「食事ケア」領域６３１−１は、食事ケア用の記録書式の選択を、当該携帯端末装置ＴＡに入力するためのボタンであり、前記「水分ケア」領域６３１−２は、水分ケア用の記録書式の選択を、当該携帯端末装置ＴＡに入力するためのボタンであり、前記「モーニングケア」領域６３１−３は、モーニングケア用の記録書式の選択を、当該携帯端末装置ＴＡに入力するためのボタンであり、そして。前記「排泄ケア」領域６３１−４は、排泄ケア用の記録書式の選択を、当該携帯端末装置ＴＡに入力するためのボタンである。さらに、図１５に示す例では、前記記録書式名を表示する個々の領域６３１−１〜６３１−４には、看介護記録の内容も表示される。例えば、本日、前日および前回における看介護記録の各内容が表示される。この看介護記録の各内容を前記領域６３１に表示するために、ＳＶ看介護記録処理部２２３は、対象者（被監視者名）に対応する本日、前日および前回における看介護記録の各内容を看介護記録情報記憶部２３５から取り出し、この取り出した本日、前日および前回における看介護記録の各内容を用いて第１書式選択画面６３の電子ファイルを生成する。
【００９５】
管理サーバ装置ＳＶから第１選択可能種類通知通信信号を受信すると、携帯端末装置ＴＡは、ＴＡ看介護記録処理部３２５によって、第１書式選択画面６３をＴＡ表示部３６に表示する。なお、ＴＡ表示部３６の表示領域より、書式表示領域６３１が広く、記録書式名が全てＴＡ表示部３６の表示領域に表示できない場合には、例えばフリック（ｆｌｉｃｋ  ｉｎｐｕｔ）によってＴＡ表示部３６の表示領域に表示される書式表示領域６３１の領域部分が変更（例えばスクロール等）され、ＴＡ表示部３６の表示領域に表示されていない記録書式名が表示できるようになっている。
【００９６】
前記タッチパネルを構成するＴＡ入力部３５から、記録書式名を表示する領域（第１種類選択ボタン）６３１（６３１−１〜６３１−４）の入力操作を受け付けて記録書式名の選択を受け付けると、携帯端末装置ＴＡは、ＴＡ看介護記録処理部３２５によって、１人の被監視者に対して入力する看介護記録における記録書類名を通知するための通信信号（第１選択種類通知通信信号）を管理サーバ装置ＳＶへ送信する（Ｃ１７）。前記第１選択種類通知通信信号には、前記選択された記録書式名が、１人の被監視者に対して入力する看介護記録における看介護の種類として収容され、さらに、自機の端末ＩＤが収容される。前記第１選択種類通知通信信号は、１人の被監視者に対して入力する看介護記録における看介護の種類を通知するための第１種類通知通信信号の一例に相当する。
【００９７】
携帯端末装置ＴＡから第１選択種類通知通信信号を受信すると、管理サーバ装置ＳＶは、ＳＶ看介護記録処理部２２３によって、この受信した第１選択種類通知通信信号に収容された記録書式名に対応する記録書式の電子ファイルを書式情報記憶部２３４から取り出し、この取り出した記録書式の電子ファイルを収容した、記録書式を通知するための通信信号（第１書式通知信通信信号）を、前記携帯端末装置ＴＡへ返信する（Ｃ１８）。管理サーバ装置ＳＶから第１書式通知通信信号を受信すると、携帯端末装置ＴＡは、ＴＡ看介護記録処理部３２５によって、記録書式画面６４をＴＡ表示部３６に表示する。
【００９８】
例えば、処理Ｃ１７で「食事ケア」を表示する領域（第１種類選択ボタン）６３１−１が入力操作されると、携帯端末装置ＴＡは、ＴＡ看介護記録処理部３２５によって、記録書式名として「食事ケア」を収容した第１選択種類通知通信信号を管理サーバ装置ＳＶへ送信し、その返信として、食事ケア用の記録書式の電子ファイルを収容した第１書式通知信通信信号を受信し、例えば、図１６に示す食事ケア用記録書式画面６４ａをＴＡ表示部３６に表示する。
【００９９】
この食事ケア用記録書式画面６４ａは、食事ケア用の記録書式を表示する画面であって、実施した食事ケアの内容を看介護記録として入力するための画面である。前記食事ケア用記録書式画面６４ａは、例えば、図１６に示すように、メニューバー領域５１１と、対象者名を表示する対象者名表示領域６２１と、看介護の内容として入力すべき入力項目を表示して前記入力項目に応じた看介護の内容を看介護記録として入力する看介護記録入力領域６４１ａと、この看介護記録を他の端末装置ＳＰ、ＴＡから参照可能とするか否かの設定を入力する共有化チェックボックス（□）６４２と、「送信する」ボタン６４３とを備える。
【０１００】
食事ケア用の記録書式では、例えば、本実施形態では、前記入力項目として主食の摂取量、副食の摂取量、メモおよびケア実施時間であり、これらを入力するために、看介護記録入力領域６４１ａは、主食量を入力するための主食量入力領域６４１ａ−１と、副食量を入力するための副食量入力領域６４１ａ−２と、メモを入力するための自由記述入力領域６４１ａ−３と、看介護を実施した時刻を入力するためのケア実施時間入力領域６４１ａ−４とを備える。看介護記録入力領域６４１ａ（６４１ａ−１〜６４１ａ−４）には、前記タッチパネルを構成するＴＡ入力部３５の入力操作によって、看介護の内容（図１６に示す例では食事ケアの内容）が入力される。共有化チェックボックス６４２では、前記タッチパネルを構成するＴＡ入力部３５から、チェックの入力操作を受け付けると、共有化チェックボックス６４２内に「レ」が表示され、記録書式画面６４（図１６に示す例では当該食事ケア用記録書式画面６４ａ）に入力された内容を他の端末装置ＳＰ、ＴＡから参照できるように設定する指示が入力される。一方、前記チェックの入力操作を受け付けないと、共有化チェックボックス６４２内は、空欄で表示され、記録書式画面６４（図１６に示す例では当該食事ケア用記録書式画面６４ａ）に入力された内容を他の端末装置ＳＰ、ＴＡから参照できないように設定する指示が入力される。「送信する」ボタン６４３は、記録書式画面６４（図１６に示す例では当該食事ケア用記録書式画面６４ａ）に入力された内容（図１６に示す例では食事ケアの内容）を管理サーバ装置ＳＶへ送信する指示を入力するためのボタンである。
【０１０１】
また例えば、処理Ｃ１７で「モーニングケア」を表示する領域（第１種類選択ボタン）６３１−３が入力操作されると、携帯端末装置ＴＡは、ＴＡ看介護記録処理部３２５によって、記録書式名として「モーニングケア」を収容した第１選択種類通知通信信号を管理サーバ装置ＳＶへ送信し、その返信として、モーニングケア用の記録書式の電子ファイルを収容した第１書式通知信通信信号を受信し、例えば、図１７に示すモーニングケア用記録書式画面６４ｂをＴＡ表示部３６に表示する。
【０１０２】
このモーニングケア用記録書式画面６４ｂは、モーニングケア用の記録書式を表示する画面であって、実施したモーニングケアの内容を看介護記録として入力するための画面である。前記モーニングケア用記録書式画面６４ｂは、例えば、図１７に示すように、メニューバー領域５１１と、対象者名表示領域６２１と、看介護の内容として入力すべき入力項目を表示して前記入力項目に応じた看介護の内容を看介護記録として入力する看介護記録入力領域６４１ｂと、共有化チェックボックス（□）６４２と、「送信する」ボタン６４３とを備える。
【０１０３】
モーニングケア用の記録書式では、例えば、本実施形態では、前記入力項目として更衣、整容、整髪、口腔ケア、洗面、離床、清拭およびその他の各項目、メモならびにケア実施時間であり、これらを入力するために、看介護記録入力領域６４１ｂは、更衣の有無を入力するための更衣入力チェックボックス（□）、整容の有無を入力するための整容入力チェックボックス（□）、整髪の有無を入力するための整髪入力チェックボックス（□）、口腔ケアの有無を入力するための口腔ケア入力チェックボックス（□）、洗面の有無を入力するための洗面入力チェックボックス（□）、離床の有無を入力するための離床入力チェックボックス（□）、清拭の有無を入力するための清拭入力チェックボックス（□）およびその他の有無を入力するためのその他入力チェックボックス（□）を備える項目領域６４１ｂ−１と、メモを入力するための自由記述入力領域６４１ｂ−２と、看介護を実施した時刻を入力するためのケア実施時間入力領域６４１ｂ−３とを備える。前記タッチパネルを構成するＴＡ入力部３５から、チェックの入力操作を受け付けると、チェックボックス内に「レ」が表示され、チェックボックスに対応する入力項目の看介護の実施が入力される。
【０１０４】
なお、このモーニングケア用記録書式画面６４ｂは、イブニングケア用の記録書式を表示する画面であって、実施したイブニングケアの内容を看介護記録として入力するための画面としても用いられる。
【０１０５】
また例えば、処理Ｃ１７で「排泄ケア」を表示する領域（第１種類選択ボタン）６３１−４が入力操作されると、携帯端末装置ＴＡは、ＴＡ看介護記録処理部３２５によって、記録書式名として「排泄ケア」を収容した第１選択種類通知通信信号を管理サーバ装置ＳＶへ送信し、その返信として、排泄ケア用の記録書式の電子ファイルを収容した第１書式通知信通信信号を受信し、例えば、図１８に示す排泄ケア用記録書式画面６４ｃをＴＡ表示部３６に表示する。
【０１０６】
この排泄ケア用記録書式画面６４ｃは、排泄用の記録書式を表示する画面であって、実施した排泄ケアの内容を看介護記録として入力するための画面である。前記排泄ケア用記録書式画面６４ｃは、例えば、図１８に示すように、メニューバー領域５１１と、対象者名表示領域６２１と、看介護の内容として入力すべき入力項目を表示して前記入力項目に応じた看介護の内容を看介護記録として入力する看介護記録入力領域６４１ｃと、共有化チェックボックス（□）６４２と、「送信する」ボタン６４３とを備える。
【０１０７】
排泄ケア用の記録書式では、例えば、本実施形態では、前記入力項目として排尿、便量、便質、メモならびにケア実施時間であり、これらを入力するために、看介護記録入力領域６４１ｃは、排尿の有無を入力するための排尿入力領域６４１ｃ−１と、排便量を入力するための排便量入力領域６４１ｃ−２と、便質を入力するための便質入力領域６４１ｃ−３と、メモを入力するための自由記述入力領域６４１ｃ−４と、看介護を実施した時刻を入力するためのケア実施時間入力領域６４１ｃ−５とを備える。看介護記録入力領域６４１ｃ（６４１ｃ−１〜６４１ｃ−５）には、前記タッチパネルを構成するＴＡ入力部３５の入力操作によって、看介護の内容（図１８に示す例では排泄ケアの内容）が入力される。
【０１０８】
図１１に戻って、次に、携帯端末装置ＴＡは、ＴＡ看介護記録処理部３２５によって、ＴＡ表示部３６に表示された記録書式を用いて入力された看介護の内容を看介護記録として管理サーバ装置ＳＶへ送信するための通信信号（看介護記録通知通信信号）を管理サーバ装置ＳＶへ送信し（Ｃ１９）、その後に、前記処理Ｃ１１で受け付けた対象者選択ボタン５１１１を表示していた画面（待受け画面５１、監視情報画面５２およびナースコール受付画面５３等）をＴＡ表示部３６に表示して本処理を終了する。
【０１０９】
なお、図示を省略するが、水分ケア用記録書式画面、バイタルケア用記録書式画面および服薬ケア用記録書式画面（投薬ケア用記録書式画面）等が、予め用意され、書式情報記憶部２３４に記憶される。
【０１１０】
より具体的には、監視者（ユーザ）は、まず、ＴＡ表示部３６に表示された記録書式を参照し、この記録書式の入力項目に応じた看介護の内容を入力する。この入力された看介護の内容は、ＴＡ看介護記録処理部３２５によって、看介護記録として、対象者名表示領域６２１に表示されている被監視者名と対応付けてデータ仮記憶部３３４に一時的に記憶される。例えば、食事ケアの看介護記録では、監視者（ユーザ）は、ＴＡ表示部３６に表示された食事ケア用記録書式画面６４ａを参照し、この食事ケア用記録書式画面６４ａの看介護記録入力領域６４１ａにおける各領域６４１ａ−１〜６４１ａ−４に、食事ケアの内容を入力し、必要に応じて、共有化チェックボックス（□）６４２を入力操作する。そして、監視者（ユーザ）は、「送信する」ボタン６４３を入力操作する。
【０１１１】
「送信する」ボタン６４３の入力操作を受け付けると、携帯端末装置ＴＡは、ＴＡ看介護記録処理部３２５によって、自機の端末ＩＤ、対象者名（被監視者名）、ならびに、記録書式画面６４を用いて入力されデータ仮記憶部３３４に記憶された看介護記録の内容（上述の例では食事ケア用記録書式画面６４ａを用いて入力された主食の摂取量、副食の摂取量、メモ、ケア実施時間および共有化の許否）を収容する看介護記録通知通信信号を管理サーバ装置ＳＶへ送信する。送信すると、ＴＡ看介護記録処理部３２５は、データ仮記憶部３３４に記憶された前記看介護記録の内容を消去（削除）する。
【０１１２】
管理サーバ装置ＳＶは、この看介護記録通知通信信号を受信すると、ＳＶ看介護記録処理部２２３によって、この受信した看介護記録通知通信信号に収容された、対象者名（被監視者名）と看介護記録の内容（上述の例では主食の摂取量、副食の摂取量、メモ、ケア実施時間および共有化の許否）とを互いに対応付けて看介護記録情報記憶部２３５に記憶する。
【０１１３】
第１モードでの看介護記録の動作では、このような各処理が実行され、記録書式を用いて看介護記録が携帯端末装置ＴＡから入力され、管理サーバ装置ＳＶに記憶（記録）される。
【０１１４】
（第２モードの看介護記録の動作）
第２モードでの看介護記録の処理では、図１２において、携帯端末装置ＴＡは、上述の処理Ｃ１１と同様に、前記タッチパネルを構成するＴＡ入力部３５から、待受け画面５１、監視情報画面５２およびナースコール受付画面５３等におけるメニューバー領域５１１の対象者選択ボタン５１１１の入力操作を受け付けると、ＴＡ看介護記録処理部３２５によって、対象者選択要求通信信号を管理サーバ装置ＳＶへ送信する（Ｃ２１）。
【０１１５】
携帯端末装置ＴＡから対象者選択要求通信信号を受信すると、管理サーバ装置ＳＶは、上述の処理Ｃ１２と同様に、ＳＶ制御処理部２２によって、選択可能対象者通知通信信号を前記携帯端末装置ＴＡへ返信する（Ｃ２２）。
【０１１６】
管理サーバ装置ＳＶから選択可能対象者通知通信信号を受信すると、携帯端末装置ＴＡは、ＴＡ制御処理部３２によって、例えば図１３に示す対象者選択画面６１をＴＡ表示部３６に表示する。
【０１１７】
このような対象者選択画面６１がＴＡ表示部３６に表示されている場合に、第２モードでは、携帯端末装置ＴＡのユーザ（監視者）は、複数の対象者を選択するために、複数の選択チェックボタン６１１ａを順次に入力操作する。この選択チェックボタン６１１ａの入力操作を受け付けると、携帯端末装置ＴＡは、ＴＡ制御処理部３２によって、入力操作を受け付けたことを表示するチェックボックスを、選択チェックボタン６１１ａに表示する。例えば、図１３に示す対象者選択画面６１において、携帯端末装置ＴＡのユーザ（監視者）は、前記複数の対象者のうちの１人として「１０１号室Ａ様」を選択する場合には、「１０１号室Ａ様」を表示している対象者サブ表示領域６１１ｂ−１に並置された第１番目の選択チェックボタン６１１ａ−１を入力操作し、前記複数の対象者のうちの他の１人として「２０１号室Ｃ様」を選択する場合には、「２０１号室Ｃ様」を表示している対象者サブ表示領域６１１ｂ−３に並置された第３番目の選択チェックボタン６１１ａ−３を入力操作し、そして、前記複数の対象者のうちのさらに他の１人として「２０３号室Ｅ様」を選択する場合には、「２０３号室Ｅ様」を表示している対象者サブ表示領域６１１ｂ−５に並置された第５番目の選択チェックボタン６１１ａ−５を入力操作する。これら３個の選択チェックボタン６１１ａ−１、６１１ａ−３、６１１ａ−５の入力操作を受け付けると、携帯端末装置ＴＡは、ＴＡ制御処理部３２によって、図１９に示すように、これら入力操作を受け付けたことを表示するチェックボックスを、これら３個の選択チェックボタン６１１ａ−１、６１１ａ−３、６１１ａ−５それぞれに表示する。そして、これら選択した複数の対象者を管理サーバ装置ＳＶへ通知するために、携帯端末装置ＴＡのユーザ（監視者）は、対象者選択画面６１における「確定」ボタン６１２を入力操作する。
【０１１８】
前記タッチパネルを構成するＴＡ入力部３５から、選択チェックボタン６１１ａの入力操作を受け付けた後に、「確定」ボタン６１２の入力操作を受け付けると、携帯端末装置ＴＡは、ＴＡ制御処理部３２によって、選択チェックボタン６１１ａから入力された複数人の対象者（被監視者Ｏｂ）を管理サーバ装置ＳＶへ通知するための通信信号（第２選択対象者通知通信信号）を管理サーバ装置ＳＶへ送信する（Ｃ２３）。この第２選択対象者通知通信信号には、選択チェックボタン６１１ａ−１〜６１１ａ−５の入力操作によって入力された複数の対象者における各被監視者名および自機の端末ＩＤが収容される。
【０１１９】
携帯端末装置ＴＡから第２選択対象者通知通信信号を受信すると、管理サーバ装置ＳＶは、ＳＶ制御処理部２２によって、前記第２選択対象者通知通信信号に収容された複数の被監視者名を、看介護記録のサーバ側対象者リスト（ＳＶ対象者リスト）として、前記第２選択対象者通知通信信号の送信元である携帯端末装置ＴＡの端末ＩＤと対応付けてＳＶ記憶部２３に記憶する。前記看介護記録のＳＶ対象者リストは、携帯端末装置ＴＡで看介護記録の対象者として選定された複数の被監視者Ｏｂの中の、看介護記録を受信していない複数の被監視者Ｏｂのリストである。上述の例では、前記看介護記録のＳＶ対象者リストは、初期では、「１０１号室Ａ様」と、「２０１号室Ｃ様」と、「２０３号室Ｅ様」とから成る。そして、管理サーバ装置ＳＶは、ＳＶ看介護記録処理部２２３によって、看介護の種類に応じて予め用意され選択可能な記録書式の種類を表示し、複数人の対象者のために１つの記録書式の種類を選択するための画面（第２書式選択画面）のデータ（電子ファイル）を収容した通信信号（第２選択可能種類通知通信信号）を前記携帯端末装置ＴＡへ返信する（Ｃ２４）。
【０１２０】
前記第２書式選択画面６５は、例えば、図２０に示すように、メニューバー領域５１１と、複数人の対象者のために、選択可能な１または複数の記録書式の種類をその名称で一覧で表示する書式表示領域６５１（６５１−１〜６５１−６）とを備える。ここで、第２書式選択画面６５の書式表示領域６５１には、記録書式名が表示されるだけでなく、複数人用であることを明示するために、図２０に示す例では「一括入力」も表示されている。そして、この「一括入力」が付加された記録書式名を表示する個々の領域６５１−１〜６５１−６は、第２書式選択画面６５が携帯端末装置ＴＡのＴＡ表示部３６に表示された場合に、監視者によって選択された記録書式の種類（図２０に示す例では記録書式名）を、当該携帯端末装置ＴＡに入力するためのボタン（第２種類選択ボタン）でもある。図２０に示す例では、書式表示領域６５１は、食事ケア用の記録書式名として「食事ケア一括入力」を表示する「食事ケア一括入力」領域６５１−１と、排泄ケア用の記録書式名として「排泄ケア一括入力」を表示する「排泄ケア一括入力」領域６５１−２と、水分ケア用の記録書式名として「水分ケア一括入力」を表示する「水分ケア一括入力」領域６５１−３と、バイタルチェック用の記録書式名として「バイタルケア一括入力」を表示する「バイタルケア一括入力」領域６５１−４と、服薬ケア（投薬ケア）用の記録書式名として「服薬ケア一括入力」を表示する「服薬ケア一括入力」領域６５１−５と、ＭＣ／ＥＣ（Ｍｏｒｎｉｎｇ  Ｃａｒｅ／Ｅｖｅｎｉｎｇ  Ｃａｒｅ）用の記録書式名として「ＭＣ／ＥＣ一括入力」を表示する「ＭＣ／ＥＣ一括入力」領域６５１−６とを備える。そして、第２書式選択画面６５が携帯端末装置ＴＡのＴＡ表示部３６に表示された場合に、前記「食事ケア一括入力」領域６５１−１は、食事ケア用の記録書式の選択を、当該携帯端末装置ＴＡに入力するためのボタンであり、前記「排泄ケア一括入力」領域６５１−２は、排泄ケア用の記録書式の選択を、当該携帯端末装置ＴＡに入力するためのボタンであり、前記「水分ケア一括入力」領域６５１−３は、水分ケア用の記録書式の選択を、当該携帯端末装置ＴＡに入力するためのボタンであり、前記「バイタルケア一括入力」領域６５１−４は、バイタルチェック用の記録書式の選択を、当該携帯端末装置ＴＡに入力するためのボタンであり、前記「服薬ケア一括入力」領域６５１−５は、服薬ケア用の記録書式の選択を、当該携帯端末装置ＴＡに入力するためのボタンであり、前記「ＭＣ／ＥＣ一括入力」領域６５１−６は、ＭＣ／ＥＣ用の記録書式の選択を、当該携帯端末装置ＴＡに入力するためのボタンである。
【０１２１】
管理サーバ装置ＳＶから第２選択可能種類通知通信信号を受信すると、携帯端末装置ＴＡは、ＴＡ看介護記録処理部３２５によって、第２書式選択画面６５をＴＡ表示部３６に表示する。なお、ＴＡ表示部３６の表示領域より、書式表示領域６５１が広く、「一括入力」が付加された記録書式名が全てＴＡ表示部３６の表示領域に表示できない場合には、例えばフリック（ｆｌｉｃｋ  ｉｎｐｕｔ）によってＴＡ表示部３６の表示領域に表示される書式表示領域６５１の領域部分が変更（例えばスクロール等）され、ＴＡ表示部３６の表示領域に表示されていない、「一括入力」が付加された記録書式名が表示できるようになっている。
【０１２２】
前記タッチパネルを構成するＴＡ入力部３５から、「一括入力」が付加された記録書式名を表示する領域（第２種類選択ボタン）６５１の入力操作を受け付けて記録書式名の選択を受け付けると、携帯端末装置ＴＡは、ＴＡ看介護記録処理部３２５によって、複数の被監視者に対して入力する看介護記録における記録書類名を通知するための通信信号（第２選択種類通知通信信号）を管理サーバ装置ＳＶへ送信する（Ｃ２５）。前記第２選択種類通知通信信号には、前記選択された記録書式名が、複数の被監視者それぞれに対して入力する看介護記録における看介護の種類として収容され、さらに、自機の端末ＩＤが収容される。前記第２選択種類通知通信信号は、１人の被監視者に対して入力する看介護記録における看介護の種類を通知するための種類通知通信信号（第２種類通知通信信号）の一例に相当する。
【０１２３】
携帯端末装置ＴＡから第２選択種類通知通信信号を受信すると、管理サーバ装置ＳＶは、ＳＶ看介護記録処理部２２３によって、この受信した第２選択種類通知通信信号に収容された記録書式名に対応する記録書式の電子ファイルを書式情報記憶部２３４から取り出し、携帯端末装置ＴＡで被監視者Ｏｂを変更しながら前記複数の被監視者Ｏｂそれぞれについて看介護の内容を入力できるように、前記取り出した記録書式の電子ファイルを収容した、記録書式を通知するための通信信号（第２書式通知信通信信号）を、前記携帯端末装置ＴＡへ返信する（Ｃ２６）。より具体的には、ＳＶ看介護記録処理部２２３は、携帯端末装置ＴＡで前記看介護記録入力領域６４１を固定で表示しつつ前記複数の被監視者Ｏｂそれぞれに対応する複数の対象者名表示領域６２１を変更可能に表示できるように、前記取り出した記録書式を前記第２書式通知通信信号に収容する。この場合では、前記対象者名表示領域６２１は、その表示された被監視者名と前記看介護記録入力領域６４１とを互いに対応付けるための対象者対応付け領域でもある。管理サーバ装置ＳＶから第２書式通知通信信号を受信すると、携帯端末装置ＴＡは、ＴＡ看介護記録処理部３２５によって、記録書式画面６４をＴＡ表示部３６に表示し、この受信した第２書式通知通信信号に収容された複数の被監視者名を看介護記録の端末側対象者リスト（ＴＡ対象者リスト）としてデータ仮記憶部３３４に記憶する。前記看介護記録のＴＡ対象者リストは、対象者名表示領域６２１に変更可能に表示される複数の被監視者Ｏｂのリストである。したがって、携帯端末装置ＴＡは、ＴＡ看介護記録処理部３２５によって、前記看介護記録のＴＡ対象者リストに載っている（リストアップされている）被監視者Ｏｂの範囲で対象者名表示領域６２１を変更する。
【０１２４】
例えば、処理Ｃ２３で前記複数の対象者として３人の被監視者Ｏｂが選定された上述の例において、処理Ｃ２５で「食事ケア一括入力」を表示する領域（第２種類選択ボタン）６５１−１が入力操作されると、携帯端末装置ＴＡは、ＴＡ看介護記録処理部３２５によって、「一括入力」が付加された記録書式名として「食事ケア一括入力」を収容した第２選択種類通知通信信号を管理サーバ装置ＳＶへ送信し、その返信として、携帯端末装置ＴＡで被監視者Ｏｂを変更しながら前記３人の被監視者Ｏｂそれぞれについて看介護の内容を入力できるように、食事ケア用の記録書式の電子ファイルを収容した第２書式通知信通信信号を受信し、例えば、図２１に示す食事ケア用記録書式画面６４ａ（６４ａ−１、６４ａ−２、６４ａ−３）をＴＡ表示部３６に表示する。
【０１２５】
この図２１に示す食事ケア用記録書式画面６４ａ（６４ａ−１、６４ａ−２、６４ａ−３）では、携帯端末装置ＴＡは、ＴＡ看介護記録処理部３２５によって、前記看介護記録入力領域６４１ａを固定でＴＡ表示部３６に表示しつつ前記複数の被監視者Ｏｂそれぞれに対応する複数の対象者名表示領域６２１（６２１−１〜６２１−３）を変更可能にＴＡ表示部３６に表示する。図２１に示す例では、図２１Ｂに示すように、「２０１号室Ｃ様」を対象者名表示領域６２１−２に表示する食事ケア用記録書式画面６４ａ−２が携帯端末装置ＴＡのＴＡ表示部３６に表示されている。なお、この初期表示の場合において、図２１Ａに示す「１０１号室Ａ様」を対象者名表示領域６２１−１に表示する食事ケア用記録書式画面６４ａ−１が携帯端末装置ＴＡのＴＡ表示部３６に表示されて良く、また、図２１Ｃに示す「２０３号室Ｅ様」を対象者名表示領域６２１−３に表示する食事ケア用記録書式画面６４ａ−３が携帯端末装置ＴＡのＴＡ表示部３６に表示されて良い。
【０１２６】
監視者（ユーザ）は、ＴＡ表示部３６に表示された記録書式を参照し、「２０１号室Ｃ様」を対象者として看介護の内容を入力する場合には、図２１Ｂに示す「２０１号室Ｃ様」を対象者名表示領域６２１−２に表示する食事ケア用記録書式画面６４ａ−２が携帯端末装置ＴＡのＴＡ表示部３６に表示されている、このままの状態で、この記録書式の入力項目に応じた看介護の内容を入力する。この入力された看介護の内容は、ＴＡ看介護記録処理部３２５によって、看介護記録として、対象者名表示領域６２１に表示されている被監視者名（この場合では「２０１号室Ｃ様」）と対応付けてデータ仮記憶部３３４に一時的に記憶される。そして、対象者名表示領域６２１に他の被監視者名（この場合では「１０１号室Ａ様」または「２０３号室Ｅ様」）を表示する食事ケア用記録書式画面６４ａから、対象者名表示領域６２１に当該被監視者名（この場合では「２０１号室Ｃ様」）を表示する食事ケア用記録書式画面６４ａへ変更された場合には、ＴＡ看介護記録処理部３２５によって、データ仮記憶部３３４に一時的に記憶される看介護の内容が看介護記録入力領域６４１ａに表示される。
【０１２７】
一方、監視者（ユーザ）は、ＴＡ表示部３６に表示された記録書式を参照し、「１０１号室Ａ様」を対象者として看介護の内容を入力する場合には、この図２１Ｂに示す食事ケア用記録書式画面６４ａ−２において、「２０１号室Ｃ様」を表示する対象者名表示領域６２１を入力操作、例えば、左から右へフリックする。「２０１号室Ｃ様」を表示する対象者名表示領域６２１が入力操作（ここでは左から右へフリック）されると、携帯端末装置ＴＡは、ＴＡ看介護記録処理部３２５によって、図２１Ａに示す、「１０１号室Ａ様」を対象者名表示領域６２１に表示する食事ケア用記録書式画面６４ａ−１をＴＡ表示部３６に表示する。この表示状態で、監視者（ユーザ）は、記録書式の入力項目に応じた看介護の内容を入力する。この入力された看介護の内容は、ＴＡ看介護記録処理部３２５によって、看介護記録として、対象者名表示領域６２１に表示されている被監視者名（この場合では「１０１号室Ａ様」）と対応付けてデータ仮記憶部３３４に一時的に記憶される。そして、対象者名表示領域６２１に他の被監視者名（この場合では「２０１号室Ｃ様」または「２０３号室Ｅ様」）を表示する食事ケア用記録書式画面６４ａから、対象者名表示領域６２１に当該被監視者名（この場合では「１０１号室Ａ様」）を表示する食事ケア用記録書式画面６４ａへ変更された場合には、ＴＡ看介護記録処理部３２５によって、データ仮記憶部３３４に一時的に記憶される看介護の内容が看介護記録入力領域６４１ａに表示される。
【０１２８】
あるいは、図２１Ｂの表示状態において、監視者（ユーザ）は、ＴＡ表示部３６に表示された記録書式を参照し、「２０３号室Ｅ様」を対象者として看介護の内容を入力する場合には、この図２１Ｂに示す食事ケア用記録書式画面６４ａ−２において、「２０１号室Ｃ様」を表示する対象者名表示領域６２１を入力操作、例えば、右から左へフリックする。「２０１号室Ｃ様」を表示する対象者名表示領域６２１が入力操作（ここでは右から左へフリック）されると、携帯端末装置ＴＡは、ＴＡ看介護記録処理部３２５によって、図２１Ｃに示す、「２０３号室Ｅ様」を対象者名表示領域６２１に表示する食事ケア用記録書式画面６４ａ−３をＴＡ表示部３６に表示する。この表示状態で、監視者（ユーザ）は、記録書式の入力項目に応じた看介護の内容を入力する。この入力された看介護の内容は、ＴＡ看介護記録処理部３２５によって、看介護記録として、対象者名表示領域６２１に表示されている被監視者名（この場合では「２０３号室Ｅ様」）と対応付けてデータ仮記憶部３３４に一時的に記憶される。そして、対象者名表示領域６２１に他の被監視者名（この場合では「２０１号室Ｃ様」または「１０１号室Ａ様」）を表示する食事ケア用記録書式画面６４ａから、対象者名表示領域６２１に当該被監視者名（この場合では「２０３号室Ｅ様」）を表示する食事ケア用記録書式画面６４ａへ変更された場合には、ＴＡ看介護記録処理部３２５によって、データ仮記憶部３３４に一時的に記憶される看介護の内容が看介護記録入力領域６４１ａに表示される。
【０１２９】
上述のように動作するので、監視者（ユーザ）は、或る１人の対象者について、記録書式における各入力項目全てに応じた看介護の各内容を入力し、その後、他の１人の対象者について、記録書式における各入力項目全てに応じた看介護の各内容を入力し、以下同様に、１人の対象者ずつ、順次に、記録書式における各入力項目全てに応じた看介護の各内容を入力して行くことができる。あるいは、監視者（ユーザ）は、記録書式における或る１つの入力項目について、順次に対象者を変更しながら対象者全ての看介護の内容を入力し、その後、他の１つの入力項目について、順次に対象者を変更しながら対象者全ての看介護の内容を入力し、以下同様に、１つの入力項目ずつ、順次に、対象者を変更しながら対象者全ての看介護の内容を入力して行くこともできる。あるいは、監視者（ユーザ）は、対象者を変更しつつ、入力項目も変更しつつ、看介護の内容を入力できる。
【０１３０】
そして、対象者名表示領域６２１に表示されている被監視者名の対象者について、入力しようと思う看介護の内容（必ずしも全入力項目の入力が必要ではない）を入力した場合には、監視者（ユーザ）は、「送信する」ボタン６４３を入力操作する。「送信する」ボタン６４３の入力操作を受け付けると、携帯端末装置ＴＡは、ＴＡ看介護記録処理部３２５によって、自機の端末ＩＤ、ＴＡ表示部３６における対象者名表示領域６２１に表示されている対象者名（被監視者名）、および、ＴＡ表示部３６における対象者名表示領域６２１に表示されている対象者名（被監視者名）に対応付けられている、データ仮記憶部３３４に記憶された看介護記録の内容を収容する看介護記録通知通信信号を管理サーバ装置ＳＶへ送信する（Ｃ２７（Ｃ２７−１〜Ｃ２７−３））。送信すると、ＴＡ看介護記録処理部３２５は、この送信した看介護記録通知通信信号に収容した被監視者名に対応する、データ仮記憶部３３４に記憶された前記看介護記録の内容を消去（削除）し、前記送信した看介護記録通知通信信号に収容した被監視者名を看介護記録のＴＡ対象者リストから削除し、この削除した看介護記録のＴＡ対象者リストに載っている残余の被監視者Ｏｂの中のいずれか１人の被監視者名を表示する前記対象者名表示領域６２１と前記看介護記録入力領域６４１とを備える記録書式画面６４をＴＡ表示部３６に新たに表示する。したがって、前記送信した看介護記録通知通信信号に収容した被監視者名を対象者名表示領域６２１に表示する記録書式画面６４は、表示されない。
【０１３１】
管理サーバ装置ＳＶは、この看介護記録通知通信信号を受信すると、ＳＶ看介護記録処理部２２３によって、この受信した看介護記録通知通信信号に収容された、対象者名（被監視者名）と看介護記録の内容とを互いに対応付けて看介護記録情報記憶部２３５に記憶し、前記受信した看介護記録通知通信信号に収容された、対象者名（被監視者名）を、前記受信した看介護記録通知通信信号に収容された端末ＩＤに対応付けられてＳＶ記憶部２３に記憶されている看介護記録のＳＶ対象者リストから削除する。
【０１３２】
例えば、上述の図２１Ｂに示す「２０１号室Ｃ様」を対象者名表示領域６２１−２に表示する食事ケア用記録書式画面６４ａ−２をＴＡ表示部３６に表示している場合において、「送信する」ボタン６４３の入力操作を受け付けると、携帯端末装置ＴＡは、ＴＡ看介護記録処理部３２５によって、自機の端末ＩＤ、「２０１号室Ｃ様」、および、「２０１号室Ｃ様」に対応付けられている、データ仮記憶部３３４に記憶された看介護記録の内容（上述の例では食事ケア用記録書式画面６４ａ−２を用いて入力された主食の摂取量、副食の摂取量、メモ、ケア実施時間および共有化の許否）を収容する看介護記録通知通信信号を管理サーバ装置ＳＶへ送信する。送信すると、ＴＡ看介護記録処理部３２５は、この送信した看介護記録通知通信信号に収容した「２０１号室Ｃ様」に対応する、データ仮記憶部３３４に記憶された前記看介護記録の内容を消去（削除）し、前記送信した看介護記録通知通信信号に収容した「２０１号室Ｃ様」を看介護記録のＴＡ対象者リストから削除し、この削除した看介護記録のＴＡ対象者リストに載っている残余の被監視者Ｏｂ、この例では「１０１号室Ａ様」および「２０３号室Ｅ様」の中のいずれか１人の被監視者名、例えば「１０１号室Ａ様」を表示する対象者名表示領域６２１−１と看介護記録入力領域６４１ａとを備える記録書式画面６４ａ−１をＴＡ表示部３６に新たに表示する。なお、この場合において、「２０３号室Ｅ様」を表示する対象者名表示領域６２１−３と看介護記録入力領域６４１ａとを備える記録書式画面６４ａ−３がＴＡ表示部３６に新たに表示されても良い。前記送信した看介護記録通知通信信号に収容した「２０１号室Ｃ様」が看介護記録のＴＡ対象者リストから削除されることによって、この削除した看介護記録のＴＡ対象者リストに載っている残余の「１０１号室Ａ様」および「２０３号室Ｅ様」の範囲で、食事ケア用記録書式画面６４ａ−１、６４ａ−３が変更可能とされる。
【０１３３】
管理サーバ装置ＳＶは、この看介護記録通知通信信号を受信すると、ＳＶ看介護記録処理部２２３によって、この受信した看介護記録通知通信信号に収容された「２０１号室Ｃ様」と看介護記録の内容（上述の例では主食の摂取量、副食の摂取量、メモ、ケア実施時間および共有化の許否）とを互いに対応付けて看介護記録情報記憶部２３５に記憶し、前記受信した看介護記録通知通信信号に収容された「２０１号室Ｃ様」を、前記受信した看介護記録通知通信信号に収容された端末ＩＤに対応付けられてＳＶ記憶部２３に記憶されている看介護記録のＳＶ対象者リストから削除する。
【０１３４】
そして、同様に、「１０１号室Ａ様」について、看介護記録通知通信信号が送信され（Ｃ２７−２）、その被監視者名が看介護記録のＴＡ対象者リストから削除され、管理サーバ装置ＳＶでは、その被監視者名と対応付けて看介護記録が記憶され、その被監視者名が看介護記録のＳＶ対象者リストから削除される。「２０３号室Ｅ様」について、看介護記録通知通信信号が送信され（Ｃ２７−３）、その被監視者名が看介護記録のＴＡ対象者リストから削除され、管理サーバ装置ＳＶでは、その被監視者名と対応付けて看介護記録が記憶され、その被監視者名が看介護記録のＳＶ対象者リストから削除される。
【０１３５】
端末ＩＤに対応付けられた看介護記録のＳＶ対象者リストに被監視者名が無くなると、すなわち、前記複数の被監視者Ｏｂ全ての各看介護記録を受信すると、管理サーバ装置ＳＶは、ＳＶ看介護記録処理部２２３によって、第１選択可能種類通知通信信号を携帯端末装置ＴＡへ送信する（Ｃ２８）。管理サーバ装置ＳＶから第１選択可能種類通知通信信号を受信すると、携帯端末装置ＴＡは、ＴＡ看介護記録処理部３２５によって、例えば図１５に示す第１書式選択画面６３をＴＡ表示部３６に表示する。
【０１３６】
第２モードでの看介護記録の動作では、このような各処理が実行され、記録書式を用いて看介護記録が携帯端末装置ＴＡから入力され、管理サーバ装置ＳＶに記憶（記録）される。
【０１３７】
以上説明したように、本実施形態における被監視者監視システムＭＳ、前記中央処理装置の一例である管理サーバ装置ＳＶおよびこれに実装された中央処理方法は、端末装置ＳＰ、ＴＡで被監視者Ｏｂを変更しながら前記複数の被監視者Ｏｂそれぞれについて看介護の内容を入力できるように、書式情報記憶部２３４から取り出した記録書式を収容する第２書式通知通信信号を、前記端末装置ＳＰ、ＴＡへ返信する。このため、前記第２書式通知通信信号を受信した端末装置ＳＰ、ＴＡは、被監視者Ｏｂを変更しながら前記複数の被監視者Ｏｂそれぞれについて看介護の内容を入力できるように、前記第２書式通知通信信号に収容された記録書式を出力できる。前記端末装置ＳＰ、ＴＡを取り扱うユーザ（監視者）は、同種の看介護について、その看介護の種類に対応した記録書式を用い、被監視者Ｏｂを変更しながら前記複数の被監視者Ｏｂそれぞれについて看介護の内容を入力できる。例えばバイタルチェックや食事等は、複数の要看介護者に対して略同じ時間帯に実施されるケースが多く、前記バイタルチェックに対する看介護記録では、バイタル用の記録書式を用い、看介護記録の対象者のみを変更しつつ、複数の対象者それぞれについて看介護の内容を入力でき、前記食事に対する看介護記録では、食事ケア用の記録書式を用い、看介護記録の対象者（被監視者Ｏｂ）のみを変更しつつ、複数の対象者それぞれについて看介護の内容を入力できる。したがって、上記被監視者監視システムＭＳ、管理サーバ装置ＳＶおよび中央処理方法は、前記特許文献１に開示されたナースコールシステムのように、対象者ごとに、被看護人識別ＩＤの読み出しおよび処置内容の選択を繰り返す必要が無く、あるいは、第１モードのように、対象者ごとに記録書式の種類の選択を繰り返す必要が無く、第２モードでは、看介護記録の手間や時間をより低減できる。
【０１３８】
上記被監視者監視システムＭＳ、管理サーバ装置ＳＶおよび中央処理方法は、端末装置ＳＰ、ＴＡで看介護記録入力領域６４１を固定で表示しつつ前記複数の被監視者Ｏｂそれぞれに対応する複数の対象者名表示領域６２１を変更可能に表示できるように、書式情報記憶部２３４から取り出した記録書式を収容する第２書式通知通信信号を、前記端末装置ＳＰ、ＴＡへ返信する。このため、前記第２書式通知通信信号を受信した端末装置ＳＰ、ＴＡは、端末装置ＳＰ、ＴＡで看介護記録入力領域６４１を固定で表示しつつ前記複数の被監視者Ｏｂそれぞれに対応する複数の対象者名表示領域６２１を変更可能に表示できるように、前記第２書式通知通信信号に収容された記録書式を出力できる。前記端末装置ＳＰ、ＴＡを取り扱うユーザ（監視者）は、対象者名表示領域６２１を変更するというワンアクションで、被監視者Ｏｂを変更しながら前記複数の被監視者Ｏｂそれぞれについて看介護の内容を入力できる。したがって、上記被監視者監視システムＭＳ、管理サーバ装置ＳＶおよび中央処理方法は、看介護記録の手間や時間をより低減できる。
【０１３９】
上記被監視者監視システムＭＳ、管理サーバ装置ＳＶおよび中央処理方法は、前記複数の被監視者Ｏｂ全ての各看介護記録を受信した場合に、第１書式選択画面６３のデータを収容する第１選択可能種類通知通信信号を、前記端末装置ＳＰ、ＴＡへ送信する。このため、前記端末装置ＳＰ、ＴＡは、前記複数の被監視者Ｏｂ全ての各看介護記録を送信後、前記第１選択可能種類通知通信信号を受信して第１書式選択画面６３を出力できる。前記端末装置ＳＰ、ＴＡを取り扱うユーザ（監視者）は、前記複数の被監視者Ｏｂ全ての各看介護記録を前記端末装置ＳＰ、ＴＡに入力して管理サーバ装置ＳＶへ送信後、看介護の別の種類に対する看介護記録を行う場合に、第１書式選択画面６３の出力を要求する指示を前記端末装置ＳＰ、ＴＡに入力する必要が無く、自動的に出力された第１書式選択画面６３から、前記別の種類を選択できる。したがって、上記被監視者監視システムＭＳ、管理サーバ装置ＳＶおよび中央処理方法は、看介護記録の手間や時間をより低減できる。
【０１４０】
本実施形態における被監視者監視システムＭＳの端末装置ＳＰ、ＴＡは、前記複数の被監視者Ｏｂから、看介護記録を管理サーバ装置ＳＶへ送信済みの被監視者Ｏｂを除いた残余の被監視者Ｏｂの中のいずれか１人の被監視者名を表示する前記対象者名表示領域６２１と前記看介護記録入力領域６４１とを備える記録書式画面６４をＴＡ表示部３６に新たに表示し、前記残余の被監視者Ｏｂを新たに前記複数の被監視者Ｏｂとするので、看介護記録の送信のたびに、次に選択する被監視者Ｏｂの範囲が狭まるため、次の被監視者Ｏｂを容易に選択でき、被監視者Ｏｂの二重選択を防止できる。
【０１４１】
なお、上述の実施形態では、端末装置ＳＰ、ＴＡで被監視者Ｏｂを変更しながら前記複数の被監視者Ｏｂそれぞれについて看介護の内容を入力できるように、ＳＶ看介護記録処理部２２３は、端末装置ＳＰ、ＴＡで看介護記録入力領域６４１を固定で表示しつつ前記複数の被監視者Ｏｂそれぞれに対応する複数の対象者名表示領域６２１を変更可能に表示できるように、書式情報記憶部２３４から取り出した記録書式を第２書式通知通信信号に収容したが、これに限定されるものではない。例えば、ＳＶ看介護記録処理部２２３は、書式情報記憶部２３４から取り出した記録書式から、前記複数の被監視者Ｏｂそれぞれについて前記複数の被監視者Ｏｂそれぞれに対応する複数の記録書式を生成し、これら生成した複数の記録書式を前記第２書式通知通信信号に収容しても良い。この場合では、端末装置ＳＰ、ＴＡでは、例えばフリック等の入力操作に応じて、前記複数の被監視者Ｏｂそれぞれに対応する複数の記録書式画面６４全体が対象者ごとに変更されてＴＡ表示部３６に表示される。また例えば、ＳＶ看介護記録処理部２２３は、書式情報記憶部２３４から取り出した１つの記録書式、および、この取り出した１つの記録書式から、前記複数の被監視者Ｏｂそれぞれについて前記複数の被監視者Ｏｂそれぞれに対応する複数の記録書式を生成する記録書式生成命令を前記第２書式通知通信信号に収容しても良い。この場合では、端末装置ＳＰ、ＴＡでは、記録書式生成命令に従って前記複数の被監視者Ｏｂそれぞれに対応する複数の記録書式画面６４がそれぞれ生成され、例えばフリック等の入力操作に応じて、前記複数の被監視者Ｏｂそれぞれに対応する複数の記録書式画面６４全体が対象者ごとに変更されてＴＡ表示部３６に表示される。
【０１４２】
本明細書は、上記のように様々な態様の技術を開示しているが、そのうち主な技術を以下に纏める。
【０１４３】
一態様にかかる中央処理装置は、監視対象である被監視者に対応して設けられ、前記被監視者に関わる所定のイベントを検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備え、前記被監視者を監視するための被監視者監視システムの前記中央処理装置であって、看護および介護のうちの少なくとも一方を含む看介護の種類に対応して作成され、前記看介護の内容を看介護記録として入力するための記録書式を記憶する書式情報記憶部と、前記端末装置から、複数の被監視者それぞれに対して入力する看介護記録における看介護の種類を通知するための種類通知通信信号を受信した場合に、前記書式情報記憶部から、前記種類通知通信信号に収容された看介護の種類に対応する記録書式を取り出し、前記端末装置で前記被監視者を変更しながら前記複数の被監視者それぞれについて看介護の内容を入力できるように、前記取り出した記録書式を収容する書式通知通信信号を、前記種類通知通信信号を送信した送信元の前記端末装置へ返信する看介護記録処理部とを備える。好ましくは、上述の中央処理装置において、前記看介護記録処理部は、前記取り出した記録書式から、前記複数の被監視者それぞれについて前記複数の被監視者それぞれに対応する複数の記録書式を生成し、前記生成した複数の記録書式を前記書式通知通信信号に収容する。好ましくは、上述の中央処理装置において、前記看介護記録処理部は、前記取り出した１つの記録書式、および、前記取り出した１つの記録書式から、前記複数の被監視者それぞれについて前記複数の被監視者それぞれに対応する複数の記録書式を生成する記録書式生成命令を前記書式通知通信信号に収容する。好ましくは、上述の中央処理装置において、前記看介護記録処理部は、前記端末装置から、１人の被監視者に対して入力する看介護記録における看介護の種類を通知するための第１種類通知通信信号を受信した場合に、前記書式情報記憶部から、前記第１種類通知通信信号に収容された看介護の種類に対応する記録書式を取り出し、前記取り出した記録書式を収容する第１書式通知通信信号を、前記種類通知通信信号を送信した送信元の前記端末装置へ返信し、前記端末装置から、複数の被監視者それぞれに対して入力する看介護記録における看介護の種類を通知するための第２種類通知通信信号を受信した場合に、前記書式情報記憶部から、前記種類通知通信信号に収容された看介護の種類に対応する記録書式を取り出し、前記端末装置で前記被監視者を変更しながら前記複数の被監視者それぞれについて看介護の内容を入力できるように、前記取り出した記録書式を収容する第２書式通知通信信号を、前記第１種類通知通信信号を送信した送信元の前記端末装置へ返信する。
【０１４４】
このような中央処理装置は、端末装置で被監視者を変更しながら前記複数の被監視者それぞれについて看介護の内容を入力できるように、書式情報記憶部から取り出した記録書式を収容する書式通知通信信号を、前記端末装置へ返信する。このため、前記書式通知通信信号を受信した端末装置は、被監視者を変更しながら前記複数の被監視者それぞれについて看介護の内容を入力できるように、前記書式通知通信信号に収容された記録書式を出力できる。前記端末装置を取り扱うユーザ（監視者）は、同種の看介護について、その看介護の種類に対応した記録書式を用い、被監視者を変更しながら前記複数の被監視者それぞれについて看介護の内容を入力できる。例えばバイタルチェックや食事等は、複数の要看介護者に対して略同じ時間帯に実施されるケースが多く、前記バイタルチェックに対する看介護記録では、バイタル用の記録書式を用い、看介護記録の対象者のみを変更しつつ、複数の対象者それぞれについて看介護の内容を入力でき、前記食事に対する看介護記録では、食事ケア用の記録書式を用い、看介護記録の対象者のみを変更しつつ、複数の対象者それぞれについて看介護の内容を入力できる。したがって、上記中央処理装置は、前記特許文献１に開示されたナースコールシステムのように、対象者ごとに、被看護人識別ＩＤの読み出しおよび処置内容の選択を繰り返す必要が無く、看介護記録の手間や時間をより低減できる。
【０１４５】
他の一態様では、上述の中央処理装置において、前記記録書式は、被監視者名を表示する対象者名表示領域と、前記看介護の内容を前記看介護記録として入力するための看介護記録入力領域とを備える記録書式画面のデータであり、前記対象者名表示領域は、さらに、その表示された被監視者名と前記看介護記録入力領域とを互いに対応付けるための対象者対応付け領域であり、前記看介護記録処理部は、前記端末装置で前記看介護記録入力領域を固定で表示しつつ前記複数の被監視者それぞれに対応する複数の対象者名表示領域を変更可能に表示できるように、前記取り出した記録書式を前記書式通知通信信号に収容する。
【０１４６】
このような中央処理装置は、端末装置で看介護記録入力領域を固定で表示しつつ前記複数の被監視者それぞれに対応する複数の対象者名表示領域を変更可能に表示できるように、書式情報記憶部から取り出した記録書式を収容する書式通知通信信号を、前記端末装置へ返信する。このため、前記書式通知通信信号を受信した端末装置は、端末装置で看介護記録入力領域を固定で表示しつつ前記複数の被監視者それぞれに対応する複数の対象者名表示領域を変更可能に表示できるように、前記書式通知通信信号に収容された記録書式を出力できる。前記端末装置を取り扱うユーザ（監視者）は、対象者名表示領域を変更するというワンアクションで、被監視者を変更しながら前記複数の被監視者それぞれについて看介護の内容を入力できる。したがって、上記中央処理装置は、看介護記録の手間や時間をより低減できる。
【０１４７】
他の一態様では、上述の中央処理装置において、前記看介護記録処理部は、前記複数の被監視者全ての各看介護記録を受信した場合に、選択可能な記録書式の種類を表示して記録書式の種類を選択するための書式選択画面のデータを収容する選択可能種類通知通信信号を、前記種類通知通信信号を送信した送信元の前記端末装置へ送信する。
【０１４８】
このような中央処理装置は、前記複数の被監視者全ての各看介護記録を受信した場合に、書式選択画面のデータを収容する選択可能種類通知通信信号を、前記端末装置へ送信（返信）する。このため、前記端末装置は、前記複数の被監視者全ての各看介護記録を送信後、前記選択可能種類通知通信信号を受信して書式選択画面を出力できる。前記端末装置を取り扱うユーザ（監視者）は、前記複数の被監視者全ての各看介護記録を前記端末装置に入力して中央処理装置へ送信後、看介護の別の種類に対する看介護記録を行う場合に、書式選択画面の出力を要求する指示を前記端末装置に入力する必要が無く、自動的に出力された書式選択画面から、前記別の種類を選択できる。したがって、上記中央処理装置は、看介護記録の手間や時間をより低減できる。
【０１４９】
他の一態様にかかる中央処理方法は、監視対象である被監視者に対応して設けられ、前記被監視者に関わる所定のイベントを検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備え、前記被監視者を監視するための被監視者監視システムの中央処理方法であって、前記端末装置から、複数の被監視者それぞれに対して入力する看介護記録における看介護の種類を通知するための種類通知通信信号を受信した場合に、前記看介護の種類に対応して作成され前記看介護の内容を看介護記録として入力するための記録書式を記憶する書式情報記憶部から、前記種類通知通信信号に収容された看介護の種類に対応する記録書式を取り出す取出工程と、前記端末装置で前記被監視者を変更しながら前記複数の被監視者それぞれについて看介護の内容を入力できるように、前記取出工程で取り出した記録書式を収容する書式通知通信信号を、前記種類通知通信信号を送信した送信元の前記端末装置へ返信する返信工程とを備える。
【０１５０】
このような中央処理方法は、端末装置で被監視者を変更しながら前記複数の被監視者それぞれについて看介護の内容を入力できるように、前記取出工程で取り出した記録書式を収容する書式通知通信信号を、前記端末装置へ返信する。このため、前記書式通知通信信号を受信した端末装置は、被監視者を変更しながら前記複数の被監視者それぞれについて看介護の内容を入力できるように、前記書式通知通信信号に収容された記録書式を出力できる。前記端末装置を取り扱うユーザ（監視者）は、同種の看介護について、その看介護の種類に対応した記録書式を用い、被監視者を変更しながら前記複数の被監視者それぞれについて看介護の内容を入力できる。したがって、上記中央処理方法は、前記特許文献１に開示されたナースコールシステムのように、対象者ごとに、被看護人識別ＩＤの読み出しおよび処置内容の選択を繰り返す必要が無く、看介護記録の手間や時間をより低減できる。
【０１５１】
他の一態様にかかる被監視者監視システムは、監視対象である被監視者に対応して設けられ、前記被監視者に関わる所定のイベントを検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備え、前記被監視者を監視するための被監視者監視システムであって、前記中央処理装置は、これら上述のいずれかの中央処理装置である。
【０１５２】
このような被監視者監視システムは、これら上述のいずれかの中央処理装置を備えるので、看介護記録の手間や時間をより低減できる。
【０１５３】
他の一態様では、上述の被監視者監視システムにおいて、前記端末装置は、入力を受け付ける入力部と、表示を行う表示部と、制御を行う制御部とを備え、前記入力部は、前記表示部に表示している対象者名表示領域に表示された被監視者名と、前記表示部に表示している看介護記録入力領域に入力された看介護の内容とを、互いに対応付けて前記中央処理装置へ送信する指示を受け付け、前記制御部は、前記入力部で前記指示を受け付けた場合に、前記表示部に表示している対象者名表示領域に表示された被監視者名と、前記表示部に表示している看介護記録入力領域に入力された看介護の内容とを収容する看介護記録通知通信信号を前記中央処理装置へ送信し、前記複数の被監視者から前記看介護記録通知通信信号に収容された被監視者名の被監視者を除いた残余の被監視者の中のいずれか１人の被監視者名を表示する前記対象者名表示領域と前記看介護記録入力領域とを備える記録書式画面を前記表示部に新たに表示し、前記残余の被監視者を新たに前記複数の被監視者とする。
【０１５４】
このような被監視者監視システムの端末装置は、前記複数の被監視者から、看介護記録を中央処理装置へ送信済みの被監視者を除いた残余の被監視者の中のいずれか１人の被監視者名を表示する前記対象者名表示領域と前記看介護記録入力領域とを備える記録書式画面を前記表示部に新たに表示し、前記残余の被監視者を新たに前記複数の被監視者とするので、看介護記録の送信のたびに、次に選択する被監視者の範囲が狭まるため、次の被監視者を容易に選択でき、被監視者の二重選択を防止できる。
【０１５５】
この出願は、２０１６年６月２９日に出願された日本国特許出願特願２０１６−１２８５８０を基礎とするものであり、その内容は、本願に含まれるものである。
【０１５６】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【産業上の利用可能性】
【０１５７】
本発明によれば、被監視者監視システムの中央処理装置および中央処理方法ならびに被監視者監視システムが提供できる。
【図１】
2018003463.tif 000003
【図２】
2018003463.tif 000004
【図３】
2018003463.tif 000005
【図４】
2018003463.tif 000006
【図５】
2018003463.tif 000007
【図６】
2018003463.tif 000008
【図７】
2018003463.tif 000009
【図８】
2018003463.tif 000010
【図９】
2018003463.tif 000011
【図１０】
2018003463.tif 000012
【図１１】
2018003463.tif 000013
【図１２】
2018003463.tif 000014
【図１３】
2018003463.tif 000015
【図１４】
2018003463.tif 000016
【図１５】
2018003463.tif 000017
【図１６】
2018003463.tif 000018
【図１７】
2018003463.tif 000019
【図１８】
2018003463.tif 000020
【図１９】
2018003463.tif 000021
【図２０】
2018003463.tif 000022
【図２１】
2018003463.tif 000023
【国際調査報告】
2018003463.tif 000024
2018003463.tif 000025